(57)【要約】  端末が基地局からの再送Ｇｒａｎｔまたは応答信号の受信を誤ってしまう場合でも、端末が再送時に干渉を与える他の端末の数を低減することができる無線通信装置。この装置において、決定部（２０５）は、送信信号の再送時にその送信信号に割り当てられる送信帯域の両端間の帯域幅を決定し、割当部（２０９）は、決定部（２０５）から入力される帯域幅に基づいて、送信信号を周波数リソースに割り当てる。決定部（２０５）は、送信信号の周波数領域での連続度が低いほど、前回送信時に対する再送時の帯域幅の減少量をより大きくする。
2010026761.tif 000002
【特許請求の範囲】
【請求項１】
送信信号の再送時に前記送信信号に割り当てられる送信帯域の両端間の帯域幅を決定する決定手段と、
前記帯域幅に基づいて、前記送信信号を周波数リソースに割り当てる割当手段と、を具備し、
前記決定手段は、前回送信した前記送信信号の周波数領域での連続度が低いほど、前回送信時に対する前記再送時の前記帯域幅の減少量をより大きくする、
無線通信装置。
【請求項２】
前記決定手段は、
前記帯域幅を有する周波数帯域における前記送信帯域の割合を前記連続度として用い、
前記割合が小さいほど前記減少量をより大きくする、
請求項１記載の無線通信装置。
【請求項３】
前記決定手段は、
隣接する送信帯域間の周波数間隔を前記連続度として用い、
前記周波数間隔が大きいほど前記減少量をより大きくする、
請求項１記載の無線通信装置。
【請求項４】
前記決定手段は、前記連続度が低いほど前記減少量をより大きくすることにより、前記再送時の連続度が１となる前記帯域幅を決定する、
請求項１記載の無線通信装置。
【請求項５】
前記決定手段は、前記連続度が低いほど前記減少量をより大きくすることにより、前記再送時の前記送信信号がローカライズド送信されるように前記帯域幅を決定する、
請求項１記載の無線通信装置。
【請求項６】
前記決定手段は、前記連続度が所定の閾値未満の場合のみ、前記連続度が低いほど前記減少量をより大きくする、
請求項１記載の無線通信装置。
【請求項７】
送信信号の再送時に前記送信信号に割り当てられる送信帯域の両端間の帯域幅を決定する帯域幅決定方法において、
前回送信した前記送信信号の周波数領域での連続度が低いほど、前回送信時に対する前記再送時の前記帯域幅の減少量をより大きくする、
帯域幅決定方法。
【発明の詳細な説明】
【技術分野】
【０００１】
本発明は、無線通信装置および帯域幅決定方法に関する。
【背景技術】
【０００２】
３ＧＰＰ  ＬＴＥ(3rd Generation Partnership Project Long-term Evolution)またはＬＴＥの発展形であるＬＴＥ−Ａｄｖａｎｃｅｄの上り回線では、ローカライズド（Localized）送信およびディストリビューテッド（Distributed）送信の双方を用いることが検討されている。すなわち、各無線通信端末装置（以下、単に端末という）から無線通信基地局装置（以下、単に基地局という）への通信において、Localized送信およびDistributed送信の双方が用いられる。【０００３】
また、ＬＴＥでは、上り回線で端末から基地局へ送信される送信データ（上り回線データ）に対してＨＡＲＱ（Hybrid Automatic Repeat Request）が適用される。ＨＡＲＱでは、基地局は上り回線データに対しＣＲＣ（Cyclic Redundancy Check）判定を行って、ＣＲＣ＝ＯＫ（誤り無し）であればＡＣＫ（Acknowledgment）信号を、ＣＲＣ＝ＮＧ（誤り有り）であればＮＡＣＫ（Negative Acknowledgment）信号を応答信号として端末へフィードバックする。端末は、応答信号としてＮＡＣＫ信号を受信した場合、上り回線データ（再送データ）を基地局へ再送する。【０００４】
ここで、上り回線データに適用されるＨＡＲＱとして、２つのＨＡＲＱ（以下、第１ＨＡＲＱおよび第２ＨＡＲＱとする）が検討されている（例えば、非特許文献１および非特許文献２参照）。【０００５】
第１ＨＡＲＱでは、基地局は、初回送信時に、上り回線データ（初回送信データ）のリソース割当情報（以下、Ｇｒａｎｔと呼ぶ）を端末へ送信する。また、基地局は、端末からの上り回線データを受信する度に応答信号を端末へフィードバックする。一方、端末は、初回送信時は受信したＧｒａｎｔに示される周波数リソースに上り回線データを割り当て、再送時は初回送信時に受信したＧｒａｎｔに示される周波数リソースと予め決められた規則とに基づいて決定される周波数リソースに上り回線データを割り当て、上り回線データを基地局へ送信する。このように、第１ＨＡＲＱでは、端末は初回送信時のみにＧｒａｎｔが通知されるため、リソース割当の通知に要するシグナリング量を少なく抑えることができる。ただし、再送時に用いる周波数リソースが規則により予め決定されており、端末は再送毎に周波数リソースを選択できないため、再送時にはその周波数リソースの受信品質が良好であるとは限らない。【０００６】
第２ＨＡＲＱでは、基地局は、初回送信時に、Ｇｒａｎｔを端末へ送信する。さらに、基地局は、上り回線データに誤りがあり（ＣＲＣ＝ＮＧ）、応答信号としてＮＡＣＫ信号を端末へフィードバックする際、上り回線データ（再送データ）のリソース割当を示す再送用Ｇｒａｎｔを端末へ送信する。一方、端末は、初回送信時および再送時において、基地局からのＧｒａｎｔまたは再送用Ｇｒａｎｔに示される周波数リソースに上り回線データを割り当てて、上り回線データを基地局へ送信する。このように、第２ＨＡＲＱでは、端末は、上り回線データの再送の度に通知される再送用Ｇｒａｎｔを用いるため、再送時には良好な受信品質の周波数リソースに上り回線データを割り当てることができる。ただし、再送の度に基地局から端末へ再送用Ｇｒａｎｔを通知するため、リソース割当の通知に要するシグナリング量が増加してしまう。【０００７】
そこで、リソース割当情報（Ｇｒａｎｔおよび再送用Ｇｒａｎｔ）のシグナリング量の増加を抑えつつ、再送時の上り回線データの受信品質を改善するために、第１ＨＡＲＱと第２ＨＡＲＱとを組み合わせることが検討されている（例えば、非特許文献２参照）。具体的には、基地局は、例えば端末との間の伝搬路品質の変動等に応じて第１ＨＡＲＱおよび第２ＨＡＲＱのいずれか１つを適用する。そして、端末は、応答信号を受信するタイミングにおいて、ＮＡＣＫ信号のみを受信した場合には、第１ＨＡＲＱを適用し、初回送信時にＧｒａｎｔで通知された周波数リソースと予め決められた規則とに基づいて決定される周波数リソースを用いて上り回線データを再送する。一方、端末は、応答信号を受信するタイミングにおいて、ＮＡＣＫ信号および再送用Ｇｒａｎｔを受信した場合には、第２ＨＡＲＱを適用し、再送用Ｇｒａｎｔで通知された周波数リソースを用いて上り回線データを再送する。すなわち、端末は、再送用Ｇｒａｎｔを受信するか否かによって、上り回線データ（再送データ）に適用するＨＡＲＱを判断する。
【先行技術文献】
【非特許文献】
【０００８】
【非特許文献１】R1-070244, “Modifications of Downlink Asynchronous HARQ scheme”, 3GPP TSG RAN1#47bis, Sorrento, Italy, January 15-19, 2007
【非特許文献２】R1-070245, “Modifications of Uplink Synchronous HARQ scheme”, 3GPP TSG RAN1#47bis, Sorrento, Italy, January 15-19, 2007
【発明の概要】
【発明が解決しようとする課題】
【０００９】
上記従来技術では、基地局は、上り回線データを再送する端末（以下、再送端末という）に再送用Ｇｒａｎｔを送信する場合（上り回線データに第２ＨＡＲＱが適用される場合）、同時に、再送端末が第１ＨＡＲＱで送信する予定であった周波数リソース、つまり、初回送信時にＧｒａｎｔで通知した周波数リソースと予め決められた規則とに基づいて決定される周波数リソースに他の端末を割り当てることができる。すなわち、基地局は、再送端末の上り回線データ（再送データ）には再送用Ｇｒａｎｔを用いて新たな周波数リソースを割り当て、他の端末の上り回線データ（初回送信データ）には、Ｇｒａｎｔ用いて、再送端末が初回送信時に用いた周波数リソースを割り当てる。【００１０】
しかしながら、基地局が再送端末に再送用Ｇｒａｎｔを送信したにもかかわらず、再送端末が自端末宛ての再送用Ｇｒａｎｔを検出できなかった場合（つまり、ＮＡＣＫ信号のみを検出した場合）が考えられる。この場合、再送端末は、ＮＡＣＫ信号のみを正常に受信するので、自端末の上り回線データに対して第１ＨＡＲＱが適用されたと判断してしまう。よって、再送端末は、上り回線データ（再送データ）を、初回送信時に用いた周波数リソースと予め決められた規則とに基づいて決定される周波数リソースに割り当てる。【００１１】
そのため、再送端末が初回送信時に用いた周波数リソースと予め決められた規則とに基づいて決定される周波数リソースでは、再送端末の上り回線データ（再送データ）と他の端末の上り回線データ（初回送信データ）との間で衝突が発生してしまう。つまり、再送端末の上り回線データ（再送データ）が他の端末の上り回線データ（初回送信データ）に干渉を与えてしまう。このように、再送端末からの上り回線データ（再送データ）が他の端末からの上り回線データ（初回送信データ）に干渉を与えるため、基地局では、他の端末からの上り回線データ（初回送信データ）の受信品質が劣化してしまい、ＣＲＣ判定は高い確率でＮＧ（誤り有り）となる。特に、再送端末が上り回線データ（再送データ）をDistributed送信する場合には、上り回線データ（再送データ）が広い帯域に分散された非連続な周波数リソース（送信帯域）に割り当てられるため、より多くの他の端末に干渉を与える可能性が高くなってしまう。【００１２】
また、基地局は、端末からの上り回線データを正常に受信した場合、ＡＣＫ信号をその端末に送信すると同時に、その端末が用いる予定の再送用の周波数リソースを他の端末の上り回線データに割り当てることもできる。しかしながら、端末がＡＣＫ信号を誤ってＮＡＣＫ信号として検出した場合、その端末は、再送用の周波数リソースに上り回線データ（再送データ）を割り当ててしまう。そのため、端末がＡＣＫ信号を誤ってＮＡＣＫ信号として検出した場合にも、上記同様、再送端末の再送用の周波数リソースでは、再送端末の上り回線データ（再送データ）と他の端末の上り回線データ（初回送信データ）との間で衝突が発生してしまう。つまり、再送端末の上り回線データ（再送データ）が他の端末の上り回線データ（初回送信データ）に干渉を与えてしまう。【００１３】
本発明の目的は、端末が基地局からの再送用Ｇｒａｎｔまたは応答信号の受信を誤ってしまう場合でも、端末が再送時に干渉を与える他の端末の数を低減することができる無線通信装置および帯域幅決定方法を提供することである。
【課題を解決するための手段】
【００１４】
本発明の無線通信装置は、送信信号の再送時に前記送信信号に割り当てられる送信帯域の両端間の帯域幅を決定する決定手段と、前記帯域幅に基づいて、前記送信信号を周波数リソースに割り当てる割当手段と、を具備し、前記決定手段は、前回送信した前記送信信号の周波数領域での連続度が低いほど、前回送信時に対する前記再送時の前記帯域幅の減少量をより大きくする構成を採る。【００１５】
本発明の帯域幅決定方法は、送信信号の再送時に前記送信信号に割り当てられる送信帯域の両端間の帯域幅を決定する帯域幅決定方法において、前回送信した前記送信信号の周波数領域での連続度が低いほど、前回送信時に対する前記再送時の前記帯域幅の減少量をより大きくするようにした。
【発明の効果】
【００１６】
本発明によれば、端末が基地局からの再送Ｇｒａｎｔまたは応答信号の受信を誤ってしまう場合でも、端末が再送時に干渉を与える他の端末の数を低減することができる。
【図面の簡単な説明】
【００１７】
【図１Ａ】本発明の実施の形態１に係るLocalized送信時における送信信号の送信帯域を示す図
【図１Ｂ】本発明の実施の形態１に係るDistributed送信時における送信信号の送信帯域を示す図
【図２】本発明の実施の形態１に係る基地局の構成を示すブロック図
【図３】本発明の実施の形態１に係る端末の構成を示すブロック図
【図４】本発明の実施の形態１に係る送信信号の帯域幅決定処理を示す図
【図５】本発明の実施の形態１に係るシーケンスを示す図
【図６】本発明の実施の形態１に係る前回送信時の連続度と再送時の連続度との対応関係を示す図（決定例１−１）
【図７】本発明の実施の形態１に係る前回送信時の連続度と再送時の連続度との対応関係を示す図（決定例１−２）
【図８Ａ】本発明の実施の形態１に係る前回送信時の連続度と再送時の連続度との対応関係を示す図（決定例１−３）
【図８Ｂ】本発明の実施の形態１に係る前回送信時の連続度と再送時の連続度との対応関係を示す図（決定例１−３）
【図９】本発明の実施の形態１に係る前回送信時の連続度と再送時の連続度との対応関係を示す図（決定例１−４）
【図１０】本発明の実施の形態１に係る前回送信時の連続度と再送時の連続度とのその他の対応関係を示す図
【図１１】本発明の実施の形態１に係る前回送信時の連続度と再送時の連続度とのその他の対応関係を示す図
【図１２】本発明の実施の形態１に係るその他の送信信号の帯域幅決定処理を示す図
【図１３】本発明の実施の形態１に係るその他の送信信号の帯域幅決定処理を示す図
【図１４】本発明の実施の形態１に係る連続度と帯域幅の減少量との対応を示す図
【図１５Ａ】本発明の実施の形態２に係る送信信号の帯域幅決定処理を示す図
【図１５Ｂ】本発明の実施の形態２に係る送信信号の帯域幅決定処理を示す図
【図１６Ａ】本発明の実施の形態３に係る送信信号の帯域幅決定処理を示す図
【図１６Ｂ】本発明の実施の形態３に係る送信信号の帯域幅決定処理を示す図
【図１７Ａ】本発明の実施の形態４に係る送信信号の帯域幅決定処理を示す図
【図１７Ｂ】本発明の実施の形態４に係る送信信号の帯域幅決定処理を示す図
【発明を実施するための形態】
【００１８】
以下、本発明の実施の形態について、図面を参照して詳細に説明する。
【００１９】
以下の説明では、１つの端末に割り当てられる複数の送信帯域（周波数リソース）すべてが周波数領域で連続になるようにして送信する送信方法をLocalized送信とする。例えば、図１Ａに示すように、Localized送信では、連続する４リソースブロック（ＲＢ：Resource Block）に１つの端末の送信信号（上り回線データ）が割り当てられる。一方、１つの端末に割り当てられる複数の送信帯域のうち少なくとも１つが不連続になるようにして送信する送信方法をDistributed送信とする。例えば、図１Ｂに示すように、Distributed送信では、３ＲＢ間隔の不連続な４ＲＢに１つの端末の送信信号が割り当てられる。
【００２０】
ここで、ＬＴＥに対応する端末では、図１Ａに示すようなLocalized送信が用いられ、ＬＴＥ−Ａｄｖａｎｃｅｄに対応する端末では、図１Ａに示すLocalized送信に加え、図１Ｂに示すようなDistributed送信が用いられることが考えられる。また、ＬＴＥ−Ａｄｖａｎｃｅｄでは、ＬＴＥ−Ａｄｖａｎｃｅｄに対応する端末のみでなく、ＬＴＥに対応する端末が収容されることが検討されている。つまり、ＬＴＥ−Ａｄｖａｎｃｅｄでは、ＬＴＥ対応の端末およびＬＴＥ−Ａｄｖａｎｃｅｄ対応の端末が同一周波数帯域で共存することが考えられる。すなわち、ＬＴＥ−Ａｄｖａｎｃｅｄでは、ＬＴＥ対応の端末およびＬＴＥ−Ａｄｖａｎｃｅｄ対応の端末がLocalized送信を用いるのに対して、ＬＴＥ−Ａｄｖａｎｃｅｄ対応の端末のみがDistributed送信を用いる。よって、ＬＴＥ−Ａｄｖａｎｃｅｄでは、Distributed送信を用いる端末の数よりも、Localized送信を用いる端末の数の方が多くなる。
【００２１】
よって、端末が基地局からの再送用Ｇｒａｎｔを検出できなかった場合に、その端末から干渉を受けてしまう可能性がある他の端末として、Localized送信を用いる端末を考慮することが望ましい。そこで、以下の説明では、基地局が再送用Ｇｒａｎｔを端末に送信する際にその端末が前回送信時に用いた周波数リソースに割り当てる他の端末として、Localized送信を用いる端末を想定する。
【００２２】
また、Distributed送信を用いる端末が基地局からの再送用Ｇｒａｎｔを検出できなかった場合の方が、Localized送信を用いる端末が基地局からの再送用Ｇｒａｎｔを検出できなかった場合よりも、再送時においてより多くの他の端末に干渉を与えてしまう。例えば、図１Ａに示すように、Localized送信を用いる端末の送信信号は、連続する４ＲＢに割り当てられる。この場合、送信信号が割り当てられた送信帯域（４ＲＢ）以外の送信帯域として、図１Ａに示すように、送信信号の送信帯域の前後にそれぞれ、連続する６ＲＢの送信帯域および連続する５ＲＢの送信帯域が確保される。ここで、基地局は、再送用Ｇｒａｎｔを、Localized送信を用いる端末に送信するとともに、複数の他の端末（例えば、Localized送信を用いる端末）の送信信号を図１Ａに示す周波数帯域に新たに割り当てるとする。ここで、Localized送信を用いる端末が基地局からの再送用Ｇｒａｎｔを検出できず、例えば、図１Ａに示す送信帯域（前回送信時と同一の送信帯域）を用いて送信信号（再送信号）を再送する場合、図１Ａに示す送信帯域（４ＲＢ）では再送信号と他の端末の送信信号との間で衝突が発生する。しかし、Localized送信を用いる端末の送信帯域以外の送信帯域では、Localized送信に十分な連続した送信帯域が確保されているため、他の端末がLocalized送信を用いる場合でも、再送信号と衝突する可能性が低くなる。
【００２３】
これに対し、図１Ｂに示すように、Distributed送信を用いる端末の送信信号は、周波数帯域全体に分散された４ＲＢに割り当てられる。この場合、送信信号が割り当てられた送信帯域（４ＲＢ）以外の送信帯域として、図１Ｂに示すように、最大３ＲＢの連続した送信帯域しか確保されない。ここで、基地局は、上記同様、再送用Ｇｒａｎｔを、Distributed送信を用いる端末に送信するとともに、複数の他の端末（例えば、Localized送信を用いる端末）の送信信号を図１Ｂに示す周波数帯域に割り当てるとする。ここで、Distributed送信を用いる端末が基地局からの再送用Ｇｒａｎｔを検出できず、例えば、図１Ｂに示す送信帯域（前回送信時と同一の送信帯域）を用いて送信信号（再送信号）を再送する場合、再送信号の送信帯域が周波数帯域全体に均等に分散されているため、再送信号の一部と、Localized送信を用いる他の端末の送信信号とが衝突する可能性が高くなる。
【００２４】
よって、Distributed送信を用いる端末が基地局からの再送用Ｇｒａｎｔを検出できない場合に再送信号が干渉を与える他の端末の数は、Localized送信を用いる端末が基地局からの再送用Ｇｒａｎｔを検出できない場合に再送信号が干渉を与える他の端末の数よりも多くなる可能性が高くなる。また、送信信号が割り当てられる送信帯域が不連続になるほど、つまり、送信信号が割り当てられる各送信帯域の周波数領域における距離が離れるほど、基地局が送信した再送用Ｇｒａｎｔを検出できなかった端末の再送信号と、他の端末の送信信号とが衝突する可能性がより高くなる。その結果、基地局における受信品質が劣化してしまう他の端末の数が多くなる。換言すると、送信信号が割り当てられる送信帯域の連続度（つまり、送信信号の周波数領域での連続度）が低くなるほど、基地局における受信品質が劣化してしまう他の端末の数が多くなる。
【００２５】
そこで、本発明では、前回送信した送信信号の周波数領域での連続度に応じて、その送信信号が再送時に割り当てられる送信帯域の両端間の帯域幅を決定する。また、以下の説明では、送信信号が割り当てられる送信帯域の両端間の帯域幅を有する帯域を所定の周波数帯域とする。
【００２６】
（実施の形態１）
本実施の形態では、所定の周波数帯域における送信信号の送信帯域の割合を送信信号の周波数領域での連続度として用い、その割合が小さいほど前回送信時に対する再送時の所定の周波数帯域の帯域幅の減少量をより大きくする。
【００２７】
本実施の形態に係る基地局１００の構成について、図２を用いて説明する。
【００２８】
図２に示す基地局１００の符号化部１０１には、送信データ（下り回線データ）と、誤り検出部１１６から入力される応答信号（ＡＣＫ信号またはＮＡＣＫ信号）と、スケジューリング部１１８から入力される、初回送信時のリソース割当情報を示すＧｒａｎｔまたは再送時のリソース割当情報を示す再送用Ｇｒａｎｔとが入力される。ここで、応答信号、および、Ｇｒａｎｔまたは再送用Ｇｒａｎｔにより制御情報が構成される。そして、符号化部１０１は、送信データおよび制御情報を符号化し、符号化データを変調部１０２に出力する。
【００２９】
変調部１０２は、符号化部１０１から入力される符号化データを変調し、変調後の信号を送信ＲＦ部１０３に出力する。
【００３０】
送信ＲＦ部１０３は、変調部１０２から入力される信号にＤ／Ａ変換、アップコンバート、増幅等の送信処理を施し、送信処理を施した信号をアンテナ１０４から各端末へ無線送信する。
【００３１】
受信ＲＦ部１０５は、アンテナ１０４を介して受信した各端末からの信号にダウンコンバート、Ａ／Ｄ変換等の受信処理を施し、受信処理を施した信号を分離部１０６に出力する。
【００３２】
分離部１０６は、受信ＲＦ部１０５から入力される信号を参照信号とデータ信号とに分離する。そして、分離部１０６は、参照信号をＤＦＴ（Discrete Fourier transform）部１０７に出力し、データ信号をＤＦＴ部１１０に出力する。
【００３３】
ＤＦＴ部１０７は、分離部１０６から入力される参照信号にＤＦＴ処理を施し、時間領域から周波数領域の信号に変換する。そして、ＤＦＴ部１０７は、周波数領域に変換した参照信号をデマッピング部１０８に出力する。
【００３４】
デマッピング部１０８は、ＤＦＴ部１０７から入力される周波数領域の参照信号から各端末の送信帯域に対応した部分の参照信号を抽出する。そして、デマッピング部１０８は、抽出した各参照信号を推定部１０９に出力する。
【００３５】
推定部１０９は、デマッピング部１０８から入力される参照信号に基づいて、伝搬路の周波数変動（伝搬路の周波数応答）の推定値および受信品質の推定値を推定する。そして、推定部１０９は、伝搬路の周波数変動の推定値を周波数領域等化部１１２に出力し、受信品質の推定値をスケジューリング部１１８に出力する。
【００３６】
一方、ＤＦＴ部１１０は、分離部１０６から入力されるデータ信号にＤＦＴ処理を施し、時間領域から周波数領域の信号に変換する。そして、ＤＦＴ部１１０は、周波数領域に変換したデータ信号をデマッピング部１１１に出力する。
【００３７】
デマッピング部１１１は、ＤＦＴ部１１０から入力される信号から各端末の送信帯域に対応した部分のデータ信号を抽出する。そして、デマッピング部１１１は、抽出した各信号を周波数領域等化部１１２に出力する。
【００３８】
周波数領域等化部１１２は、推定部１０９から入力される伝搬路の周波数変動の推定値を用いて、デマッピング部１１１から入力されるデータ信号に等化処理を施す。そして、周波数領域等化部１１２は、等化処理を施した信号をＩＦＦＴ（Inverse Fast Fourier Transform）部１１３に出力する。
【００３９】
ＩＦＦＴ部１１３は、周波数領域等化部１１２から入力されるデータ信号にＩＦＦＴ処理を施す。そして、ＩＦＦＴ部１１３は、ＩＦＦＴ処理を施した信号を復調部１１４に出力する。
【００４０】
復調部１１４は、ＩＦＦＴ部１１３から入力される信号に復調処理を施し、復調処理を施した信号を復号部１１５に出力する。
【００４１】
復号部１１５は、復調部１１４から入力される信号に復号処理を施し、復号処理を施した信号（復号ビット列）を誤り検出部１１６に出力する。
【００４２】
誤り検出部１１６は、復号部１１５から入力される復号ビット列に対して誤り検出を行う。例えば、誤り検出部１１６は、ＣＲＣを用いて誤り検出を行う。誤り検出部１１６は、誤り検出の結果、復号ビットに誤りが有る場合には応答信号としてＮＡＣＫ信号を生成し、復号ビットに誤りが無い場合には応答信号としてＡＣＫ信号を生成する。そして、誤り検出部１１６は、生成した応答信号を符号化部１０１および決定部１１７に出力する。また、誤り検出部１１６は、復号ビットに誤りが無い場合には、データ信号を受信データとして出力する。
【００４３】
決定部１１７およびスケジューリング部１１８には、第１ＨＡＲＱおよび第２ＨＡＲＱのうち、いずれのＨＡＲＱを用いるかを示すＨＡＲＱ選択情報が入力される。
【００４４】
誤り検出部１１６から入力される応答信号がＮＡＣＫ信号であり、かつ、ＨＡＲＱ選択情報に示されるＨＡＲＱが第１ＨＡＲＱの場合（つまり、第１ＨＡＲＱの再送時）、決定部１１７は、スケジューリング部１１８から入力される前回送信時のスケジューリング情報（Ｇｒａｎｔまたは再送用Ｇｒａｎｔ）に基づいて、端末の送信信号（送信データおよび参照信号）の再送時に、その送信信号に割り当てられる送信帯域の両端間の帯域幅、つまり、所定の周波数帯域の帯域幅を決定する。具体的には、決定部１１７は、まず、スケジューリング部１１８から入力される前回送信時のＧｒａｎｔを用いて、端末が前回送信した送信信号の周波数領域での連続度を算出する。ここでは、所定の周波数帯域における送信信号の送信帯域の割合を、端末が送信する送信信号の周波数領域での連続度とする。
【００４５】
そして、決定部１１７は、前回送信時の連続度に応じて、再送時の所定の周波数帯域の帯域幅を決定する。具体的には、決定部１１７は、前回送信時の所定の周波数帯域における送信信号の送信帯域の割合が小さいほど（連続度が低いほど）、前回送信時に対する再送時の所定の周波数帯域の帯域幅の減少量をより大きくする。つまり、決定部１１７は、前回送信時の連続度が低いほど、再送時の所定の周波数帯域における送信データの送信帯域の割合、つまり、連続度の増加量を大きくする。そして、決定部１１７は、決定した帯域幅を示す情報をスケジューリング部１１８に出力する。
【００４６】
スケジューリング部１１８は、ＨＡＲＱ選択情報、推定部１０９から入力される受信品質の推定値および決定部１１７から入力される帯域幅を示す情報に基づいて、各端末が送信する送信信号の送信帯域（周波数リソース）をスケジューリングする。例えば、スケジューリング部１１８は、初回送信時には、受信品質の推定値に基づいて初回送信時の送信信号の送信帯域をスケジューリングし、スケジューリング結果を示すＧｒａｎｔを符号化部１０１および決定部１１７に出力する。
【００４７】
また、ＨＡＲＱ選択情報に示されるＨＡＲＱが第２ＨＡＲＱの場合、スケジューリング部１１８は、受信品質の推定値に基づいて、再送端末の送信信号（再送信号）の送信帯域をスケジューリングし、スケジューリング結果を示す再送用Ｇｒａｎｔを符号化部１０１および決定部１１７に出力する。また、スケジューリング部１１８は、再送端末以外の他の端末の送信信号を、再送端末が再送時に用いる予定であった送信帯域を含む周波数帯域に割り当てる。
【００４８】
一方、ＨＡＲＱ選択情報に示されるＨＡＲＱが第１ＨＡＲＱの場合、スケジューリング部１１８は、決定部１１７から入力される情報に示される帯域幅に基づいて、再送端末の送信信号（再送信号）に割り当てる送信帯域を確保するとともに、再送端末以外の他の端末の送信信号を、再送端末に確保した送信帯域以外の送信帯域に割り当てる。
【００４９】
次に、本実施の形態に係る端末２００の構成について、図３を用いて説明する。
【００５０】
図３に示す端末２００の受信ＲＦ部２０２は、アンテナ２０１を介して受信した基地局１００からの信号にダウンコンバート、Ａ／Ｄ変換等の受信処理を施し、受信処理を施した信号を復調部２０３に出力する。
【００５１】
復調部２０３は、受信ＲＦ部２０２から入力される信号に等化処理および復調処理を施し、これらの処理を施した信号を復号部２０４に出力する。
【００５２】
復号部２０４は、復調部２０３から入力される信号に復号処理を施し、受信データおよび制御情報を抽出する。復号部２０４は、抽出した制御情報を決定部２０５に出力する。なお、制御情報には、応答信号（ＡＣＫ信号またはＮＡＣＫ信号）、および、Ｇｒａｎｔまたは再送用Ｇｒａｎｔが含まれる。
【００５３】
決定部２０５は、復号部２０４から入力される制御情報にＮＡＣＫ信号のみが含まれる場合、前回送信時の送信信号（送信データおよび参照信号）の所定の周波数帯域における送信帯域の割合、つまり、自端末が前回送信した送信信号の周波数領域での連続度を算出する。そして、決定部２０５は、送信信号の再送時に、送信信号に割り当てられる送信帯域の両端間の帯域幅（すなわち、所定の周波数帯域の帯域幅）を決定する。ここで、決定部２０５は、決定部１１７（図２）と同様にして、前回送信時の所定の周波数帯域における送信信号の送信帯域の割合が小さいほど（連続度が低いほど）、前回送信時に対する再送時の所定の周波数帯域の帯域幅の減少量をより大きくする。そして、決定部２０５は、決定した帯域幅を示す情報を割当部２０９に出力する。なお、決定部２０５における所定の周波数帯域の帯域幅の決定処理の詳細については後述する。
【００５４】
ＣＲＣ部２０６は、送信データに対してＣＲＣ符号化を行ってＣＲＣ符号化データを生成し、生成したＣＲＣ符号化データを符号化部２０７に出力する。
【００５５】
符号化部２０７は、ＣＲＣ部２０６から入力されるＣＲＣ符号化データを符号化し、符号化データを変調部２０８に出力する。
【００５６】
変調部２０８は、符号化部２０７から入力される符号化データを変調し、変調後のデータ信号を割当部２０９に出力する。
【００５７】
割当部２０９は、復号部２０４から入力されるＧｒａｎｔ、再送用Ｇｒａｎｔまたは決定部２０５から入力される帯域幅を示す情報に基づいて、変調部２０８から入力されるデータ信号（初回送信信号または再送信号）を周波数リソース（ＲＢ）に割り当てる。割当部２０９は、ＲＢに割り当てられた信号を多重化部２１０に出力する。
【００５８】
多重化部２１０は、参照信号と割当部２０９から入力される信号とを時間多重し、多重信号を送信ＲＦ部２１１に出力する。
【００５９】
送信ＲＦ部２１１は、多重化部２１０から入力される多重信号にＤ／Ａ変換、アップコンバート、増幅等の送信処理を施し、送信処理を施した信号をアンテナ２０１から基地局１００へ無線送信する。
【００６０】
次に、本実施の形態における端末２００の決定部２０５（図３）における再送時の所定の周波数帯域の帯域幅の決定処理の詳細について説明する。
【００６１】
以下の説明では、例えば、図１Ａに示すように、端末２００の送信信号がLocalized送信される場合、端末２００の送信信号が割り当てられた送信帯域の両端間の帯域幅を有する所定の周波数帯域（Ａ）は４ＲＢであり、送信信号の送信帯域（Ｂ）も４ＲＢである。よって、所定の周波数帯域（Ａ）における送信信号の送信帯域（Ｂ）の割合Ｂ／Ａ（連続度）は１（＝４／４）となる。すなわち、Localized送信時における連続度（割合Ｂ／Ａ）は最大値１となる。一方、図１Ｂに示すように、端末２００の送信信号がDistributed送信される場合、所定の周波数帯域（Ａ）は、１３ＲＢであり、送信信号の送信帯域（Ｂ）は４ＲＢである。よって、所定の周波数帯域（Ａ）における送信信号の送信帯域（Ｂ）の割合Ｂ／Ａ（連続度）は４／１３となる。すなわち、Distributed送信時における連続度（割合Ｂ／Ａ）は１未満となる。
【００６２】
また、以下の説明では、端末２００が基地局１００からの再送用Ｇｒａｎｔを検出しなかった場合について説明する。なお、端末２００が基地局１００からの再送用Ｇｒａｎｔを検出しなかった場合としては、端末２００の送信信号に対して第２ＨＡＲＱを適用し、基地局１００が端末２００に再送用Ｇｒａｎｔを送信したにもかかわらず、端末２００が再送用Ｇｒａｎｔを検出できなかった場合、および、端末２００の送信信号に対して第１ＨＡＲＱを適用する場合がある。
【００６３】
決定部２０５は、割合Ｂ／Ａが小さいほど（連続度が低いほど）、前回送信時に対する再送時の所定の周波数帯域（Ａ）の帯域幅の減少量をより大きくする。例えば、図１Ａに示すように連続度（割合Ｂ／Ａ）が１（＝４／４）の場合には、決定部２０５は、前回送信時に対する再送時の所定の周波数帯域（Ａ）の帯域幅の減少量を０ＲＢとする。これにより、再送時の所定の周波数帯域（Ａ）は、前回送信時と同一の４（＝４−０）ＲＢとなる。つまり、再送時の送信信号の周波数領域での連続度（割合Ｂ／Ａ）は前回送信時と同一の１（＝４／４）となる。これに対し、図１Ｂに示すように前回送信時の連続度（割合Ｂ／Ａ）が４／１３の場合には、決定部２０５は、前回送信時に対する再送時の所定の周波数帯域（Ａ）の帯域幅の減少量を、連続度が１の場合（減少量＝０ＲＢ）よりも大きい４ＲＢとする。これにより、再送時の所定の周波数帯域（Ａ）は、９（＝１３−４）ＲＢとなる。つまり、再送時の送信信号の周波数領域での連続度（割合Ｂ／Ａ）は４／９となる。
【００６４】
このように、端末２００が自端末宛ての再送用Ｇｒａｎｔを受信しない場合、端末２００は、再送時には、前回送信時の所定の周波数帯域（Ａ）の帯域幅よりも、再送時の所定の周波数帯域（Ａ）の帯域幅を狭くする。ただし、端末２００は、前回送信時の連続度が低いほど（図１Ｂでは連続度：４／１３）、前回送信時に対する再送時の所定の周波数帯域の帯域幅の減少量をより大きくし（図１Ｂでは減少量：４ＲＢ）、前回送信時の連続度が高いほど（図１Ａでは連続度：最大値１）、前回送信時に対する再送時の所定の周波数帯域の帯域幅の減少量をより小さくする（図１Ａでは減少量：最小値０ＲＢ）。
【００６５】
ここで、基地局１００は、端末２００に再送用Ｇｒａｎｔを送信するとともに、例えば図４に示すように、前回送信時（初回送信時）に端末２００に割り当てた送信帯域を含む周波数帯域を他の端末（端末Ａおよび端末Ｂ）に割り当てる。図４では、端末Ａおよび端末Ｂの送信信号が、端末２００の再送時（２回目送信時）にLocalized送信される。しかし、基地局１００が再送用Ｇｒａｎｔを送信したにもかかわらず、端末２００が自端末宛ての再送用Ｇｒａｎｔを検出できなかった場合、端末２００は、前回送信時（初回送信時）に端末２００に割り当てられた送信帯域に再送信号を割り当てる。ただし、端末２００は、図４に示すように、前回送信時（初回送信時）と比較して、再送時（２回目送信時）の送信信号（再送信号）の所定の周波数帯域（Ａ）の帯域幅を狭くする。これにより、図４に示すように、端末２００が再送する再送信号は、端末Ａが割り当てられた送信帯域のみに重複して割り当てられる。例えば、端末２００が再送する再送信号を、前回送信時と全く同一の送信帯域に割り当てると、再送信号は、端末Ａおよび端末Ｂの双方に干渉を与えてしまう。しかし、本実施の形態によれば、図４に示すように、端末２００が再送する再送信号は、端末Ａのみに干渉を与え、端末Ｂには干渉を与えない。
【００６６】
次に、本実施の形態に係る具体的なシーケンス例を図５に示す。図５では、端末２００の送信信号に対して第２ＨＡＲＱを適用し、基地局１００が端末２００に再送用Ｇｒａｎｔを送信したにもかかわらず、端末２００が再送用Ｇｒａｎｔを検出できなかった場合について説明する。
【００６７】
ステップ（以下、ＳＴという）１０１では、基地局１００のスケジューリング部１１８は、受信品質の推定値（つまり、端末２００からフィードバックされる受信品質）に基づいて、端末２００の送信信号（データ信号）に割り当てる送信帯域（周波数リソース）をスケジューリングする。ＳＴ１０２では、基地局１００は、スケジューリング結果を示すＧｒａｎｔを端末２００へ送信する。
【００６８】
ＳＴ１０３では、端末２００の割当部２０９は、基地局１００からのＧｒａｎｔに基づいてデータ信号をＲＢに割り当てる。ＳＴ１０４では、端末２００は、ＲＢに割り当てたデータ信号を基地局１００へ送信する。
【００６９】
ＳＴ１０５では、基地局１００の誤り検出部１１６は、端末２００から送信されたデータ信号に対して誤り検出を行い、応答信号（ＡＣＫ信号またはＮＡＣＫ信号）を生成する。ここでは、誤り検出部１１６は、応答信号としてＮＡＣＫ信号を生成する。また、基地局１００のスケジューリング部１１８は、端末２００の再送信号を割り当てる送信帯域を示す再送用Ｇｒａｎｔを生成する。また、基地局１００は、ＳＴ１０１で生成したＧｒａｎｔに示される送信帯域を他の端末（例えば、図４に示す端末Ａおよび端末Ｂ）に割り当てる。ＳＴ１０６では、基地局１００は、生成した応答信号（ＮＡＣＫ信号）および再送用Ｇｒａｎｔを含む制御情報を端末２００へ送信する。しかし、端末２００は、例えば、下り回線のこの時の回線品質が低いこと等の影響により、自端末宛ての再送用Ｇｒａｎｔを検出できなかったものとする。
【００７０】
よって、端末２００は、基地局１００からの制御情報としてＮＡＣＫ信号のみを受信し、自端末のデータ信号に第１ＨＡＲＱが適用された判断するため、ＳＴ１０７では、決定部２０５は、ＳＴ１０２で受信したＧｒａｎｔに示される送信帯域、つまり、前回送信時の送信帯域に基づいて、前回送信時の送信信号の周波数領域での連続度を算出する。そして、決定部２０５は、連続度に応じて、再送時の送信信号の所定の周波数帯域の帯域幅を決定する。
【００７１】
ＳＴ１０８では、端末２００の割当部２０９は、ＳＴ１０７で決定した帯域幅に基づいて、再送信号をＲＢに割り当て、再送信号を基地局１００へ再送する。
【００７２】
なお、端末２００の送信信号に対して第１ＨＡＲＱが適用される場合、基地局１００の決定部１１７は、決定部２０５と同様にして、前回送信時の連続度が低いほど、前回送信時に対する再送時の所定の周波数帯域の帯域幅の減少量をより大きくする。このとき、基地局１００は、所定の周波数帯域の帯域幅の減少量だけの送信帯域を他の端末に割り当てることができる。具体的には、端末２００の前回送信時（初回送信時）の送信信号に誤りがある場合、基地局１００は、ＮＡＣＫ信号のみを端末２００に送信する。ここで、基地局１００および端末２００は、図４に示すように、前回送信時と比較して、再送時（例えば、２回目送信時）の送信信号（再送信号）の所定の周波数帯域の帯域幅を狭くする。これにより、端末２００の送信信号の再送時（２回目送信時）には、前回送信時（初回送信時）に対する所定の周波数帯域の帯域幅の減少量だけの送信帯域（図４に示す端末Ｂの帯域幅に相当する送信帯域）が確保される。よって、基地局１００は、端末２００の送信信号の送信帯域を確保しつつ、新たに確保された送信帯域において、他の端末（例えば、図４に示す端末ＢのようなLocalized送信を用いる端末）に対してスケジューリングすることができる。
【００７３】
次に、決定部１１７および決定部２０５における送信信号の所定の周波数帯域の帯域幅の決定例１−１〜１−４について説明する。図６〜９に前回送信時の連続度と再送時の連続度との対応関係を示す。図６〜９では、前回送信時の連続度をｘ（０＜ｘ≦１）とし、再送時の連続度をｙ（０＜ｙ≦１）とする。ここで、前回送信時の連続度ｘ＝１では、再送時の連続度ｙも１となる。また、図６〜９では、前回送信時の連続度ｘと再送時の連続度ｙとが同一である場合、すなわち、ｙ＝ｘの場合を破線で示す。
【００７４】
＜決定例１−１（図６）＞
本決定例では、前回送信した送信信号の周波数領域での連続度が低いほど、前回送信時に対する再送時の所定の周波数帯域の帯域幅の減少量をより大きくする。
【００７５】
すなわち、決定部１１７および決定部２０５は、前回送信時の連続度が低いほど、再送時には、割合Ｂ／Ａの分母である、所定の周波数帯域（Ａ）の帯域幅の減少量をより大きくする。ここで、割合Ｂ／Ａのうち、送信帯域（Ｂ）は前回送信時および再送時において不変である。このため、前回送信時の連続度が低いほど、所定の周波数帯域（Ａ）の帯域幅の減少量をより大きくすることにより、再送時の連続度（割合Ｂ／Ａ）の増加量はより大きくなる。具体的には、図６に示すように、前回送信時の連続度ｘと再送時の連続度ｙとの間には、ｙ＝αｘ＋Ｓ（ただし、α＜１，Ｓは任意の数）の関係がある。ここで、図６ではＳ＝１−αとなる。
【００７６】
図６に示すように、前回送信時の連続度ｘが低いほど、再送時の連続度ｙの増加量（すなわち、同一の値を採るｘにおける、ｙ軸での実線と破線との差分）がより大きくなる。また、図６に示すようにαの値を小さくするほど、Ｓ（＝１−α）の値が大きくなり、前回送信時の連続度ｘに対する再送時の連続度ｙの増加量はより大きくなる。
【００７７】
このように、本決定例によれば、端末２００は、前回送信時の連続度が低いほど、前回送信時に対する再送時の所定の周波数帯域の帯域幅の減少量をより大きくする。これにより、端末２００は、基地局１００が送信した再送用Ｇｒａｎｔを検出しなかった場合、前回送信時よりも狭い帯域幅の所定の周波数帯域に割り当てる。よって、端末２００が再送用Ｇｒａｎｔを検出できずに、他の端末の送信信号が割り当てられている送信帯域に再送信号を誤って割り当てる場合でも、端末２００の再送信号は、他の端末のうちの一部の端末の送信信号と衝突して干渉を与えるものの、他の端末のうち一部の端末以外の端末には干渉を与えない。換言すると、本決定例によれば、端末２００の再送信号が割り当てられる送信帯域を一部の周波数帯域に集中させることにより、再送信号が干渉を与える他の端末の数を低減することができる。よって、端末２００の再送信号と衝突して受信品質が劣化してしまう他の端末の数を低減することができる。
【００７８】
＜決定例１−２（図７）＞
本決定例では、前回送信した送信信号の周波数領域での連続度が低いほど、前回送信時に対する再送時の帯域幅の減少量をより大きくすることにより、再送時の連続度が１となる所定の周波数帯域の帯域幅を決定する。
【００７９】
具体的には、決定部１１７および決定部２０５は、決定例１−１と同様、前回送信時の連続度が低いほど、前回送信時に対する再送時の所定の周波数帯域（Ａ）の帯域幅の減少量をより大きくする。ただし、決定部１１７および決定部２０５は、前回送信時の連続度がいずれの値でも、再送時の連続度（割合Ｂ／Ａ）が１となる帯域幅を決定する。換言すると、決定部１１７および決定部２０５は、前回送信時の連続度がいずれの値でも、再送時の送信信号がLocalized送信されるように、再送時の所定の周波数帯域（Ａ）の帯域幅を決定する。
【００８０】
具体的には、図７に示すように、前回送信時の連続度ｘと再送時の連続度ｙとの間には、ｙ＝ｂ（ただし、ｂ＝１）の関係がある。すなわち、前回送信時の連続度ｘがいずれの値でも、再送時の連続度ｙは１となる。ここで、図７に示す本決定例は、決定例１−１（図６）の前回送信時の連続度ｘと再送時の連続度ｙとの関係ｙ＝αｘ＋Ｓ（ただし、α＝１−Ｓ）において、Ｓ＝１としたときと等価である。
【００８１】
このように、決定部１１７および決定部２０５は、再送時には、送信信号（再送信号）がLocalized送信されるように所定の周波数帯域（Ａ）の帯域幅を最小にする。例えば、前回送信時では図１Ｂに示すように、送信信号が周波数帯域全体に分散して割り当てられている場合（連続度：４／１３）でも、再送時には、図１Ａに示すように、送信信号は、連続する送信帯域（連続度：１（＝４／４））に割り当てられる。
【００８２】
よって、端末２００が、基地局１００が送信した再送用Ｇｒａｎｔを検出できずに、他の端末の送信信号が割り当てられている送信帯域に再送信号を誤って割り当てる場合でも、決定例１−１と同様にして、端末２００の再送信号が干渉を与える他の端末の数を低減することができる。また、基地局１００は、例えば、図１Ａに示すように、再送信号が割り当てられる送信帯域（すなわち、干渉が発生する送信帯域）以外の送信帯域において、連続する送信帯域をより多く確保することができる。よって、基地局１００は、端末２００の再送信号が割り当てられる送信帯域以外の連続する送信帯域に、他の端末（例えば、Localized送信を用いる端末）の送信信号を割り当てることができる。
【００８３】
このように、本決定例によれば、決定例１−１と同様、再送時に干渉を与える他の端末の数を低減することができる。さらに、本決定例によれば、再送時には端末２００の送信信号が連続する送信帯域に割り当てられるため、基地局１００は、他の端末に対しても連続する送信帯域を確保することができる。よって、基地局１００は、他の端末に対して柔軟にスケジューリングすることが可能となる。
【００８４】
＜決定例１−３（図８Ａ，Ｂ）＞
端末２００が前回送信した送信信号の所定の周波数帯域の帯域幅が、例えば、図４に示す端末Ａの送信信号が割り当てられる送信帯域の帯域幅以下の場合を考える。この場合、上記決定例１−１および１−２のようにして、基地局１００および端末２００が端末２００の送信信号の所定の周波数帯域の帯域幅を狭くしなくても、端末２００の送信信号は端末Ａのみに干渉を与え、端末Ｂの送信信号には干渉を与えない。
【００８５】
すなわち、前回再送時の連続度によっては、再送時に所定の周波数帯域の帯域幅を狭くしなくても、端末２００の送信信号が干渉を与える他の端末の数を低く抑えることが可能となる。
【００８６】
そこで、本決定例では、送信信号の周波数領域での連続度が所定の閾値未満の場合のみ、その送信信号の周波数領域での連続度が低いほど、前回送信時に対する再送時の所定の周波数帯域の帯域幅の減少量をより大きくする。
【００８７】
具体的には、決定部１１７および決定部２０５では、再送時に所定の周波数帯域の帯域幅を狭くするか否かを判断するための所定の閾値が予め設定されている。そして、決定部１１７および決定部２０５は、前回送信時の連続度が所定の閾値未満の場合、決定例１−１（または、決定例１−２）と同様、前回送信時の連続度が低いほど、所定の周波数帯域の帯域幅の減少量をより大きくする。一方、決定部１１７および決定部２０５は、前回送信時の連続度が所定の閾値以上の場合、所定の周波数帯域の帯域幅の減少量を０とする。すなわち、決定部１１７および決定部２０５は、前回送信時の連続度が所定の閾値以上の場合、再送時の連続度を前回送信時の連続度と同一にする。
【００８８】
例えば、図８Ａに示すように、前回送信時の連続度ｘが閾値Ｔ未満の場合、前回送信時の連続度ｘと再送時の連続度ｙとの間には、ｙ＝αｘ＋（Ｔ（１−α））（ただし、α＜１）の関係がある。また、前回送信時の連続度ｘが閾値Ｔ以上の場合、前回送信時の連続度ｘと再送時の連続度ｙとの間には、ｙ＝ｘの関係がある。これは、ｙ＝αｘ＋（Ｔ（１−α））において、α＝１にした場合と等価である。すなわち、前回送信時の連続度ｘが閾値Ｔ以上の場合には、連続度ｙの傾きαを１にすることにより、再送時の連続度ｙは、前回送信時の連続度ｘと同一となり、前回送信時の連続度ｘが閾値Ｔ未満の場合には、連続度ｙの傾きαを１未満にすることにより、再送時の連続度ｙは、前回送信時の連続度ｘよりも高くなる。
【００８９】
ここで、閾値Ｔは、例えば、図４に示す端末Ａの送信信号の送信帯域幅となるような連続度に設定される。この場合、端末２００の送信信号の連続度が閾値Ｔ以上では、再送時の連続度ｙが前回送信時の連続度ｘと同一であっても、端末２００の送信信号が端末Ａにのみ干渉を与え、端末Ｂに干渉を与えない。なお、閾値Ｔの設定値は、上述した設定値に限らない。
【００９０】
このように、前回送信時の連続度ｘが高い場合（閾値Ｔ以上の場合）、端末２００は、所定の周波数帯域の帯域幅を狭くしなくても、再送時に端末２００の送信信号が干渉を与える他の端末の数を少なく抑えることができる。一方、前回送信時の連続度ｘが低い場合（閾値Ｔ未満の場合）、端末２００は、連続度ｘが低いほど、前回送信時に対する再送時の所定の周波数帯域の帯域幅の減少量をより大きくするため、決定例１−１と同様、再送時に端末２００の送信信号が干渉を与える他の端末の数を低減することができる。
【００９１】
このように、本決定例によれば、前回送信時の連続度が閾値Ｔ未満では、決定例１−１と同様の効果を得ることができる。また、本決定例によれば、前回送信時の連続度が閾値Ｔ以上では、再送時の連続度を前回送信時と同一の連続度とするため、端末２００の送信信号が干渉を与える他の端末の数を少なく抑えつつ、前回送信時と同一の周波数ダイバーシチ効果を得ることができる。
【００９２】
なお、本決定例では、前回送信時の連続度ｘと再送時の連続度ｙとの対応関係として、図８Ａの代わりに例えば図８Ｂに示す対応関係を用いてもよい。図８Ｂでは、前回送信時の連続度ｘが閾値Ｔ以上の場合は図８Ａと同様であり、前回送信時の連続度ｘが閾値Ｔ未満の場合、前回送信時の連続度ｘと再送時の連続度ｙとの間には、ｙ＝Ｔの関係がある。
【００９３】
＜決定例１−４（図９）＞
送信信号の周波数領域での連続度がより低いほど、所定の周波数帯域の帯域幅はより広くなる。そのため、前回送信時の連続度が低いほど、端末２００が再送用Ｇｒａｎｔを検出できなかった場合に再送信号が干渉を与える他の端末の数を低減するためには、再送時の所定の周波数帯域の帯域幅の減少量をより大きくする必要がある。一方、前回送信時の連続度がより高いほど、前回送信時に対する再送時の所定の周波数帯域の帯域幅を狭くすることによる、再送信号が干渉を与える他の端末の数を低減する効果はより小さい。
【００９４】
そこで、本決定例では、前回送信時の連続度が閾値Ｔ未満の場合と、前回送信時の連続度が閾値Ｔ以上の場合とで、再送時の所定の周波数帯域（Ａ）の帯域幅の減少量の割合を異ならせる。具体的には、前回送信時の連続度が閾値Ｔ以上の場合よりも、前回送信時の連続度が閾値Ｔ未満の場合における再送時の所定の周波数帯域の帯域幅の減少量の割合をより大きくする。
【００９５】
例えば、図９に示すように、前回送信時の連続度ｘが閾値Ｔ未満の場合、前回送信時の連続度ｘと再送時の連続度ｙとの間には、ｙ＝βｘ＋Ｓ’（ただし、β＜α，Ｓ’は任意の数）の関係がある。一方、図９に示すように、前回送信時の連続度ｘが閾値Ｔ以上の場合、前回送信時の連続度ｘと再送時の連続度ｙとの間には、ｙ＝α（ｘ−Ｔ）＋（βＴ＋Ｓ’）（ただし、α＜１，Ｓ’は任意の数）の関係がある。
【００９６】
前回送信時の連続度ｘが閾値Ｔ未満の場合の再送時の連続度ｙの傾きはβであり、前回送信時の連続度が閾値Ｔ以上の場合の再送時の連続度ｙの傾きは、βよりも大きい値のαである。すなわち、再送時の連続度ｙの傾きαおよびβには、β＜α＜１の関係がある。よって、図９に示すように、前回送信時の連続度ｘが閾値Ｔ未満の場合（傾き：β）の方が、前回送信時の連続度が閾値Ｔ以上の場合（傾き：α）よりも、前回送信時（傾き：１）に対する再送時の連続度の増加量の割合がより大きくなる。換言すると、前回送信時の連続度ｘが閾値Ｔ未満の場合（傾き：β）の方が、前回送信時の連続度が閾値Ｔ以上の場合（傾き：α）よりも、前回送信時（傾き：１）に対する再送時の所定の周波数帯域の帯域幅の減少量の割合がより大きくなる。
【００９７】
このように、本決定例によれば、前回送信時の連続度ｘが低いほど（連続度ｘが閾値Ｔ未満の場合）、つまり、基地局１００が送信した再送用Ｇｒａｎｔを検出できなかった端末２００の再送信号が干渉を与える他の端末の数が多くなる可能性が高いほど、再送時の所定の周波数帯域の帯域幅の減少量の割合をより大きくすることができる。
【００９８】
よって、本決定例によれば、前回送信時の連続度に応じて、再送時の所定の周波数帯域の帯域幅を、決定例１−１よりもさらに細かく決定することができる。
【００９９】
以上、決定部１１７および決定部２０５における送信信号の所定の周波数帯域の帯域幅の決定例１−１〜１−４について説明した。
【０１００】
このようにして、本実施の形態によれば、端末２００は、前回送信した送信信号の周波数領域での連続度が低いほど、前回送信時に対する再送時の所定の周波数帯域の帯域幅の減少量をより大きくする。これにより、前回送信時の連続度が低い場合でも、再送時には送信信号を狭帯域で送信することができるため、端末２００の送信信号（再送信号）からの干渉を受けることにより、送信信号の受信品質が劣化してしまう他の端末の数を低減することができる。よって、本実施の形態によれば、端末が基地局からの再送用Ｇｒａｎｔの受信を誤ってしまう場合でも、再送時に干渉を与える他の端末の数を低減することができる。
【０１０１】
なお、本実施の形態では、基地局１００が再送用Ｇｒａｎｔを送信したにもかかわらず、端末２００が再送用Ｇｒａｎｔを検出できなかった場合について説明した。しかし、本発明は、基地局が応答信号としてＡＣＫ信号を送信したにもかかわらず、端末２００がＡＣＫ信号を誤ってＮＡＣＫ信号として検出した場合についても適用することができる。具体的には、基地局１００は、端末２００にＡＣＫ信号を送信するとともに、端末２００が用いる予定の再送用の送信帯域を他の端末の送信信号に割り当てる。一方、端末２００は、ＡＣＫ信号を誤ってＮＡＣＫ信号として受信するため、送信信号を再送用の送信帯域に割り当てて再送してしまう。ただし、本実施の形態と同様にして、端末２００は、前回送信時の連続度に応じて、再送時の送信信号の所定の周波数帯域の帯域幅を決定するため、基地局１００で新たに割り当てられた他の端末の送信信号と端末２００の再送信号とが衝突する可能性を低減することができる。このようにして、本実施の形態によれば、端末が基地局からのＡＣＫ信号を誤ってＮＡＣＫ信号として検出する場合でも、再送時に干渉を与える他の端末の数を低減することができる。
【０１０２】
また、本実施の形態では、例えば、決定例１−３（図８Ａ，Ｂ）および決定例１−４（図９）に示すように、閾値Ｔを設定した場合、閾値Ｔの前後において再送時の連続度ｙが連続する場合について説明した。しかし、本発明では、例えば、図１０に示すように、閾値Ｔの前後において再送時の連続度ｙが不連続であってもよい。図１０では、前回送信時の連続度ｘが閾値Ｔ未満の場合、前回送信時の連続度ｘと再送時の連続度ｙとの間には、ｙ＝βｘ＋Ｓ”（ただし、β＜α，Ｓ”は任意の数）の関係がある。また、前回送信時の連続度ｘが閾値Ｔ以上の場合、前回送信時の連続度ｘと再送時の連続度ｙとの間には、ｙ＝α（ｘ−Ｔ）＋Ｒ（ただし、α＜１，Ｒは任意の数）の関係がある。すなわち、閾値Ｔの前後における再送時の連続度ｙには、図１０に示すように、βＴだけ差が生じる。
【０１０３】
また、本実施の形態では、例えば図６〜１０に示すように、前回送信時の連続度ｘと再送時の連続度ｙとが１次関数で表される場合について説明した。しかし、本発明では、前回送信時の連続度ｘが低いほど、前回送信時に対する再送時の所定の周波数帯域（Ａ）の帯域幅の減少量がより大きくなるという条件を満たせばよい。例えば、本発明は、図１１に示すように、前回送信時の連続度ｘと再送時の連続度ｙとが２次関数で表される場合についても適用することができる。
【０１０４】
また、本実施の形態では、図４に示すように、送信信号の所定の周波数帯域全体に対して本発明を適用する場合について説明した。しかし、本発明は、例えば、図１２および図１３に示す送信信号の所定の周波数帯域（Ａ）のうち、一部の周波数帯域に対して部分的に適用してもよい。具体的には、図１２および図１３に示すように、送信信号の所定の周波数帯域（Ａ）をブロック１とブロック２とに分割し、それぞれのブロック毎に部分的に本発明を適用してもよい。
【０１０５】
また、本実施の形態では、前回送信時の連続度に応じて、再送時の所定の周波数帯域の帯域幅を決定する場合について説明した。例えば、本発明では、前回送信時の連続度を２値（連続度１（Localized送信）および連続度１未満（Distributed送信））としてもよい。例えば、図１４に示すように、連続度が最大値１（Localized送信）では、決定部１１７および決定部２０５は、前回送信時に対する再送時の所定の周波数帯域の帯域幅の減少量をＸとする。一方、図１４に示すように、連続度が１未満（Distributed送信）では、決定部１１７および決定部２０５は、前回送信時に対する再送時の所定の周波数帯域の帯域幅の減少量を、連続度が１における減少量Ｘよりも大きいＹとする。
【０１０６】
（実施の形態２）
実施の形態１では、所定の周波数帯域における送信信号の送信帯域の割合を送信信号の周波数領域での連続度とする場合について説明した。これに対し、本実施の形態では、送信信号の周波数領域で隣接する送信帯域間の周波数間隔を送信信号の周波数領域での連続度とする場合について説明する。
【０１０７】
例えば、図１Ａに示すように、端末２００の送信信号がLocalized送信される場合、自端末の送信信号が割り当てられる送信帯域は連続であるため、隣接する送信帯域間の周波数間隔は最小値０となる。一方、図１Ｂに示すように、端末２００の信号がDistributed送信される場合、自端末の送信信号が割り当てられる送信帯域のうち、隣接する送信帯域間の周波数間隔は３ＲＢとなる。すなわち、本実施の形態では、送信信号の周波数領域での連続度は、Localized送信時のように隣接する送信帯域間の周波数間隔が最小の場合に最大となる。また、送信信号の周波数領域での連続度は、隣接する送信帯域間の周波数間隔が大きくなるほど、より低くなる。
【０１０８】
そこで、本実施の形態における基地局１００の決定部１１７（図２）および端末２００の決定部２０５（図３）は、端末２００の送信信号が割り当てられた送信帯域のうち、隣接する送信帯域間の周波数間隔に応じて、前回送信時に対する再送時の所定の周波数帯域の帯域幅を決定する。ここで、決定部１１７および決定部２０５は、前回送信した送信信号の隣接する送信帯域間の周波数間隔が大きいほど（つまり、連続度が低いほど）、前回送信時に対する再送時の所定の周波数帯域の帯域幅の減少量をより大きくする。
【０１０９】
以下、具体的に説明する。実施の形態１と同様、ここでは、端末２００が基地局１００が送信した再送用Ｇｒａｎｔを検出しなかった場合、および、端末２００の送信信号に対して第１ＨＡＲＱが適用された場合について説明する。
【０１１０】
例えば、図１５Ａに示すように、前回送信時（初回送信時）における隣接する送信帯域間の周波数間隔が４ＲＢの場合、決定部１１７および決定部２０５は、再送時（２回目送信時）における隣接する送信帯域の周波数間隔を２ＲＢに決定する。すなわち、決定部１１７および決定部２０５は、隣接する送信帯域間の周波数間隔の前回送信時に対する再送時の減少量を２ＲＢとする。
【０１１１】
また、例えば、図１５Ｂに示すように、前回送信時（初回送信時）における隣接する送信帯域間の周波数間隔が２ＲＢの場合、決定部１１７および決定部２０５は、再送時（２回目送信時）における隣接する送信帯域の周波数間隔を１ＲＢに決定する。すなわち、決定部１１７および決定部２０５は、隣接する送信帯域間の周波数間隔の前回送信時に対する再送時の減少量を１ＲＢとする。
【０１１２】
このように、決定部１１７および決定部２０５は、前回送信時において、隣接する送信帯域間の周波数間隔が４ＲＢの場合（図１５Ａ）には、隣接する送信帯域間の周波数間隔が２ＲＢの場合（図１５Ｂ）よりも、隣接する送信帯域間の周波数間隔の前回送信時に対する再送時の減少量をより大きくする。これにより、送信信号の所定の周波数帯域全体では、図１５Ａおよび図１５Ｂに示すように、実施の形態１と同様、前回送信時の送信信号の隣接する送信帯域間の周波数間隔が大きいほど、前回送信時に対する再送時の所定の周波数帯域の帯域幅の減少量はより大きくなる。すなわち、図１５Ａ（前回送信時の周波数間隔４ＲＢ）における前回送信時に対する再送時の所定の周波数帯域の帯域幅の減少量の方が、図１５Ｂ（前回送信時の周波数間隔２ＲＢ）における前回送信時に対する再送時の所定の周波数帯域の帯域幅の減少量よりも大きくなる。
【０１１３】
前回送信時において、隣接する送信帯域間の周波数間隔が大きいほど（例えば、図１５Ａ）、再送時の所定の周波数帯域の帯域幅の減少量がより大きくなる。これにより、端末２００が再送Ｇｒａｎｔを検出できない場合でも、実施の形態１と同様、再送時に端末２００の送信信号が干渉を与える他の端末の数を低減することができる。また、前回送信時において、隣接する送信帯域間の周波数間隔が小さいほど（例えば、図１５Ｂ）、端末２００の再送信号が干渉を与える他の端末の数を低減するための、再送時の所定の周波数帯域の帯域幅の減少量はより小さくてよい。よって、前回送信時において、隣接する送信帯域間の周波数間隔が小さいほど、再送時の送信信号が干渉を与える他の端末の数を低減しつつ、端末２００の送信信号の周波数ダイバーシチ効果の劣化を抑えることができる。
【０１１４】
このようにして、本実施の形態では、周波数領域で隣接する送信帯域間の周波数間隔に応じて、再送時の所定の周波数帯域の帯域幅を決定する。これにより、実施の形態１と同様、端末が基地局からの再送用Ｇｒａｎｔの受信を誤ってしまう場合でも、端末が再送時に干渉を与える他の端末の数を低減することができる。
【０１１５】
（実施の形態３）
本実施の形態では、前回送信した送信信号の送信帯域の分割数（以下、分割帯域数という）が多いほど、前回送信時に対する再送時の分割帯域数の減少数をより多くする場合について説明する。
【０１１６】
本実施の形態に係る基地局１００の決定部１１７（図２）は、ＨＡＲＱ選択情報に示されるＨＡＲＱが第１ＨＡＲＱであり、かつ、誤り検出部１１６から入力される応答信号がＮＡＣＫ信号の場合、端末２００から前回送信時の送信信号の分割帯域数に応じて、その送信信号の再送時の分割帯域数を決定する。ここで、決定部１１７は、前回送信時の分割帯域数が多いほど、再送時の分割帯域数の減少数をより多くする。
【０１１７】
一方、本実施の形態に係る端末２００の決定部２０５（図３）は、復号部２０４からの制御情報に再送用Ｇｒａｎｔが含まれない場合、決定部１１７と同様にして、前回送信時の分割帯域数に応じて、送信信号の再送時の分割帯域数を決定する。ここで、決定部２０５は、前回送信時の分割帯域数が多いほど、再送時の分割帯域数の減少数をより多くする。
【０１１８】
以下、具体的に説明する。実施の形態１と同様、ここでは、端末２００が基地局１００が送信した再送用Ｇｒａｎｔを検出しなかった場合、および、端末２００の送信信号に対して第１ＨＡＲＱが適用された場合について説明する。
【０１１９】
例えば、図１６Ａに示すように、前回送信時（初回送信時）における送信信号の分割帯域数が４の場合、決定部１１７および決定部２０５は、再送時（２回目送信時）の分割帯域数を２に決定する。すなわち、決定部１１７および決定部２０５は、前回送信時に対する再送時の分割帯域数の減少数を２とする。
【０１２０】
また、例えば、図１６Ｂに示すように、前回送信時（初回送信時）における送信信号の分割帯域数が３の場合、決定部１１７および決定部２０５は、再送時（２回目送信時）の分割帯域数を２に決定する。すなわち、決定部１１７および決定部２０５は、前回送信時に対する再送時の分割帯域数の減少量を１とする。
【０１２１】
このように、決定部１１７および決定部２０５は、前回送信時において、分割帯域数が４の場合（図１６Ａ）には、分割帯域数が３の場合（図１６Ｂ）よりも、前回送信時に対する再送時の分割帯域数の減少数をより多くする。
【０１２２】
図１６Ａおよび図１６Ｂに示すように、前回送信時では、送信信号は、所定の周波数帯域に分散した送信帯域に割り当てられている。また、図１６Ａに示すように、分割帯域数が多いほど、所定の周波数帯域に送信信号の送信帯域が細かく分散されている。換言すると、分割帯域数が多いほど、所定の周波数帯域において、端末２００の送信信号が割り当てられる送信帯域以外の送信帯域として、連続する送信帯域を確保することが困難となる。これに対し、図１６Ａおよび図１６Ｂに示すように、再送時では、送信信号は、送信信号の周波数帯域の両端にまとまって割り当てられる。これにより、端末２００の送信信号が割り当てられた送信帯域以外の送信帯域として、連続する送信帯域（図１６Ａおよび図１６Ｂでは所定の周波数帯域の中央付近）を確保することができる。
【０１２３】
これにより、基地局１００が再送用Ｇｒａｎｔを送信したにもかかわらず、端末２００が再送用Ｇｒａｎｔを検出できなかった場合でも、端末２００の再送信号の送信帯域以外の送信帯域として連続する送信帯域が確保されるため、実施の形態１と同様、端末２００の再送信号が干渉を与える他の端末の数を低減することができる。また、例えば、端末２００に対して第１ＨＡＲＱを適用する場合、基地局１００は、端末２００の送信信号が割り当てられた送信帯域以外の連続する送信帯域に、他の端末（例えば、Localized送信する端末）を割り当てることができる。
【０１２４】
このようにして、本実施の形態では、前回送信した送信信号の分割帯域数に応じて、再送時の分割帯域数を決定する。これにより、実施の形態１と同様、端末が基地局からの再送用Ｇｒａｎｔの受信を誤ってしまう場合でも、再送時に干渉を与える他の端末の数を低減することができる。
【０１２５】
（実施の形態４）
本実施の形態では、前回送信した送信信号の所定の周波数帯域の帯域幅が広いほど、前回送信時に対する再送時の所定の周波数帯域の帯域幅の減少率をより大きくする場合について説明する。
【０１２６】
本実施の形態に係る基地局１００の決定部１１７（図２）は、ＨＡＲＱ選択情報に示されるＨＡＲＱが第１ＨＡＲＱであり、かつ、誤り検出部１１６から入力される応答信号がＮＡＣＫ信号の場合、端末２００から前回送信された送信信号の所定の周波数帯域の帯域幅に応じて、再送時の送信信号の所定の周波数帯域の帯域幅を決定する。ただし、決定部１１７は、前回送信時の所定の周波数帯域の帯域幅が広いほど、再送時の所定の周波数帯域の帯域幅の減少率をより大きくする。
【０１２７】
一方、本実施の形態に係る端末２００の決定部２０５（図３）は、復号部２０４からの制御情報に再送用Ｇｒａｎｔが含まれない場合、決定部１１７と同様にして、前回送信した送信信号の所定の周波数帯域の帯域幅に応じて、再送時の送信信号の所定の周波数帯域の帯域幅を決定する。ただし、決定部２０５は、前回送信時の所定の周波数帯域の帯域幅が広いほど、再送時の所定の周波数帯域の帯域幅の減少率をより大きくする。
【０１２８】
以下、具体的に説明する。実施の形態１と同様、ここでは、端末２００が基地局１００からの再送用Ｇｒａｎｔを検出しなかった場合、および、端末２００の送信信号に対して第１ＨＡＲＱが適用された場合について説明する。また、図１７Ａおよび図１７Ｂにおいて、所定の周波数帯域の帯域幅Ｗは、所定の周波数帯域の帯域幅Ｗ’よりも広い（つまり、帯域幅Ｗ＞帯域幅Ｗ’）。
【０１２９】
例えば、図１７Ａに示すように、前回送信時（初回送信時）における送信信号の所定の周波数帯域の帯域幅がＷの場合、決定部１１７および決定部２０５は、再送時（２回目送信時）における所定の周波数帯域の帯域幅を、前回送信時の１／２の帯域幅（Ｗ／２）に決定する。すなわち、決定部１１７および決定部２０５は、前回送信時に対する再送時の所定の周波数帯域の帯域幅の減少率を１／２とする。
【０１３０】
一方、図１７Ｂに示すように、前回送信時（初回送信時）における送信信号の所定の周波数帯域の帯域幅がＷ’の場合、決定部１１７および決定部２０５は、再送時（２回目送信時）における所定の周波数帯域の帯域幅を、前回送信時の２／３の帯域幅（２Ｗ’／３）に決定する。すなわち、決定部１１７および決定部２０５は、前回送信時に対する再送時の所定の周波数帯域の帯域幅の減少率を２／３とする。
【０１３１】
このように、決定部１１７および決定部２０５は、前回送信時において、所定の周波数帯域の帯域幅がＷ（＞帯域幅Ｗ’）の場合には、所定の周波数帯域の帯域幅がＷ’の場合よりも、前回送信時に対する再送時の所定の周波数帯域の帯域幅の減少率をより大きくする。
【０１３２】
前回送信時において、所定の周波数帯域の帯域幅が広いほど（例えば、図１７Ａ）、再送時の所定の周波数帯域の帯域幅の減少率がより大きくなる。これにより、端末２００が再送Ｇｒａｎｔを検出できない場合でも、実施の形態１と同様、再送時に端末２００の送信信号が干渉を与える他の端末の数を低減することができる。また、前回送信時において、所定の周波数帯域の帯域幅（Ｗ’）が狭いほど（例えば、図１７Ｂ）、端末２００の再送信号が干渉を与える他の端末の数を低減するための、再送時の所定の周波数帯域の帯域幅の減少率は小さくてよい。前回送信時において、所定の周波数帯域の帯域幅が狭いほど、再送時の送信信号が干渉を与える他の端末の数を低減しつつ、端末２００の送信信号の周波数ダイバーシチ効果の劣化を抑えることができる。
【０１３３】
このようにして、本実施の形態では、前回送信した送信信号の所定の周波数帯域の帯域幅に応じて、再送時の所定の周波数帯域の帯域幅を決定する。これにより、実施の形態１と同様、端末が基地局からの再送用Ｇｒａｎｔの受信を誤ってしまう場合でも、再送時に干渉を与える他の端末の数を低減することができる。
【０１３４】
以上、本発明の各実施の形態について説明した。
【０１３５】
なお、上記実施の形態では、本発明をLocalized送信およびDistributed送信に適用する場合を一例として説明した。しかし、本発明は、Localized送信およびDistributed送信に限らず、非離散的な送信帯域を用いる伝送方式および離散的な送信帯域を用いる伝送方式に適用してもよい。例えばLocalized送信の代わりにＳＣ−ＦＤＭＡ（Single Carrier-Frequency Division Multiplexing Access）伝送を適用し、Distributed送信の代わりにＯＦＤＭＡ（Orthogonal Frequency Division Multiplexing Access）を適用してもよい。
【０１３６】
また、本実施の形態では、複数の送信帯域すべてが周波数領域で連続になる場合の連続度を最大値１とし、複数の送信帯域のうち少なくとも１つが不連続になる場合の連続度を１未満とする場合について説明した。しかし、本発明では、例えば、送信帯域をサブキャリアに置き換え、複数のサブキャリアすべてが連続になる場合の連続度を最大値１とし、複数のサブキャリアのうち少なくとも１つが不連続になる場合の連続度を１未満としてもよい。また、本発明では、例えば、複数のサブキャリアすべてが一定間隔である場合の連続度を最大値１とし、複数のサブキャリアのうち少なくとも１つが一定間隔ではない場合の連続度を１未満としてもよい。
【０１３７】
また、上記実施の形態では、端末が再送用Ｇｒａｎｔを検出できなかった場合に再送信号を割り当てる送信帯域として、ロバストな他の端末（例えば、誤り訂正の性能が高い端末）が割り当てられた送信帯域を用いてもよい。これにより、再送信号が割り当てられた送信帯域以外の送信帯域では、他の端末は再送信号からの干渉を受けることなく通信することが可能となり、再送信号が割り当てられた送信帯域では、ロバストな他の端末は再送信号からの干渉を受けるものの、誤り訂正処理により正常に通信することができる可能性が高くなる。
【０１３８】
また、上記実施の形態では、端末から基地局への上り回線においてデータおよび参照信号を送信する例を挙げたが、基地局から端末への下り回線における送信の場合でも同様に適用できる。
【０１３９】
また、上記実施の形態では、ＨＡＲＱを用いる場合について説明したが、本発明ではＡＲＱを用いてもよい。
【０１４０】
また、上記各実施の形態では、本発明をハードウェアで構成する場合を例にとって説明したが、本発明はソフトウェアで実現することも可能である。
【０１４１】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１４３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４４】
２００８年９月４日出願の特願２００８−２２７５０１の日本出願に含まれる明細書、図面および要約書の開示内容は、すべて本願に援用される。
【産業上の利用可能性】
【０１４５】
本発明は、移動体通信システム等に適用することができる。
【図１Ａ】
2010026761.tif 000003
【図１Ｂ】
2010026761.tif 000004
【図２】
2010026761.tif 000005
【図３】
2010026761.tif 000006
【図４】
2010026761.tif 000007
【図５】
2010026761.tif 000008
【図６】
2010026761.tif 000009
【図７】
2010026761.tif 000010
【図８Ａ】
2010026761.tif 000011
【図８Ｂ】
2010026761.tif 000012
【図９】
2010026761.tif 000013
【図１０】
2010026761.tif 000014
【図１１】
2010026761.tif 000015
【図１２】
2010026761.tif 000016
【図１３】
2010026761.tif 000017
【図１４】
2010026761.tif 000018
【図１５Ａ】
2010026761.tif 000019
【図１５Ｂ】
2010026761.tif 000020
【図１６Ａ】
2010026761.tif 000021
【図１６Ｂ】
2010026761.tif 000022
【図１７Ａ】
2010026761.tif 000023
【図１７Ｂ】
2010026761.tif 000024
【手続補正書】
【提出日】平成22年12月6日(2010.12.6)
【手続補正１】
【補正対象書類名】明細書
【補正対象項目名】全文
【補正方法】変更
【補正の内容】
【発明の詳細な説明】
【技術分野】
【０００１】
本発明は、無線通信装置および帯域幅決定方法に関する。
【背景技術】
【０００２】
３ＧＰＰ  ＬＴＥ(3rd Generation Partnership Project Long-term Evolution)またはＬＴＥの発展形であるＬＴＥ−Ａｄｖａｎｃｅｄの上り回線では、ローカライズド（Localized）送信およびディストリビューテッド（Distributed）送信の双方を用いることが検討されている。すなわち、各無線通信端末装置（以下、単に端末という）から無線通信基地局装置（以下、単に基地局という）への通信において、Localized送信およびDistributed送信の双方が用いられる。
【０００３】
また、ＬＴＥでは、上り回線で端末から基地局へ送信される送信データ（上り回線データ）に対してＨＡＲＱ（Hybrid Automatic Repeat Request）が適用される。ＨＡＲＱでは、基地局は上り回線データに対しＣＲＣ（Cyclic Redundancy Check）判定を行って、ＣＲＣ＝ＯＫ（誤り無し）であればＡＣＫ（Acknowledgment）信号を、ＣＲＣ＝ＮＧ（誤り有り）であればＮＡＣＫ（Negative Acknowledgment）信号を応答信号として端末へフィードバックする。端末は、応答信号としてＮＡＣＫ信号を受信した場合、上り回線データ（再送データ）を基地局へ再送する。
【０００４】
ここで、上り回線データに適用されるＨＡＲＱとして、２つのＨＡＲＱ（以下、第１ＨＡＲＱおよび第２ＨＡＲＱとする）が検討されている（例えば、非特許文献１および非特許文献２参照）。
【０００５】
第１ＨＡＲＱでは、基地局は、初回送信時に、上り回線データ（初回送信データ）のリソース割当情報（以下、Ｇｒａｎｔと呼ぶ）を端末へ送信する。また、基地局は、端末からの上り回線データを受信する度に応答信号を端末へフィードバックする。一方、端末は、初回送信時は受信したＧｒａｎｔに示される周波数リソースに上り回線データを割り当て、再送時は初回送信時に受信したＧｒａｎｔに示される周波数リソースと予め決められた規則とに基づいて決定される周波数リソースに上り回線データを割り当て、上り回線データを基地局へ送信する。このように、第１ＨＡＲＱでは、端末は初回送信時のみにＧｒａｎｔが通知されるため、リソース割当の通知に要するシグナリング量を少なく抑えることができる。ただし、再送時に用いる周波数リソースが規則により予め決定されており、端末は再送毎に周波数リソースを選択できないため、再送時にはその周波数リソースの受信品質が良好であるとは限らない。
【０００６】
第２ＨＡＲＱでは、基地局は、初回送信時に、Ｇｒａｎｔを端末へ送信する。さらに、基地局は、上り回線データに誤りがあり（ＣＲＣ＝ＮＧ）、応答信号としてＮＡＣＫ信号を端末へフィードバックする際、上り回線データ（再送データ）のリソース割当を示す再送用Ｇｒａｎｔを端末へ送信する。一方、端末は、初回送信時および再送時において、基地局からのＧｒａｎｔまたは再送用Ｇｒａｎｔに示される周波数リソースに上り回線データを割り当てて、上り回線データを基地局へ送信する。このように、第２ＨＡＲＱでは、端末は、上り回線データの再送の度に通知される再送用Ｇｒａｎｔを用いるため、再送時には良好な受信品質の周波数リソースに上り回線データを割り当てることができる。ただし、再送の度に基地局から端末へ再送用Ｇｒａｎｔを通知するため、リソース割当の通知に要するシグナリング量が増加してしまう。
【０００７】
そこで、リソース割当情報（Ｇｒａｎｔおよび再送用Ｇｒａｎｔ）のシグナリング量の
増加を抑えつつ、再送時の上り回線データの受信品質を改善するために、第１ＨＡＲＱと第２ＨＡＲＱとを組み合わせることが検討されている（例えば、非特許文献２参照）。具体的には、基地局は、例えば端末との間の伝搬路品質の変動等に応じて第１ＨＡＲＱおよび第２ＨＡＲＱのいずれか１つを適用する。そして、端末は、応答信号を受信するタイミングにおいて、ＮＡＣＫ信号のみを受信した場合には、第１ＨＡＲＱを適用し、初回送信時にＧｒａｎｔで通知された周波数リソースと予め決められた規則とに基づいて決定される周波数リソースを用いて上り回線データを再送する。一方、端末は、応答信号を受信するタイミングにおいて、ＮＡＣＫ信号および再送用Ｇｒａｎｔを受信した場合には、第２ＨＡＲＱを適用し、再送用Ｇｒａｎｔで通知された周波数リソースを用いて上り回線データを再送する。すなわち、端末は、再送用Ｇｒａｎｔを受信するか否かによって、上り回線データ（再送データ）に適用するＨＡＲＱを判断する。
【先行技術文献】
【非特許文献】
【０００８】
【非特許文献１】R1-070244, “Modifications of Downlink Asynchronous HARQ scheme”, 3GPP TSG RAN1#47bis, Sorrento, Italy, January 15-19, 2007
【非特許文献２】R1-070245, “Modifications of Uplink Synchronous HARQ scheme”, 3GPP TSG RAN1#47bis, Sorrento, Italy, January 15-19, 2007
【発明の概要】
【発明が解決しようとする課題】
【０００９】
上記従来技術では、基地局は、上り回線データを再送する端末（以下、再送端末という）に再送用Ｇｒａｎｔを送信する場合（上り回線データに第２ＨＡＲＱが適用される場合）、同時に、再送端末が第１ＨＡＲＱで送信する予定であった周波数リソース、つまり、初回送信時にＧｒａｎｔで通知した周波数リソースと予め決められた規則とに基づいて決定される周波数リソースに他の端末を割り当てることができる。すなわち、基地局は、再送端末の上り回線データ（再送データ）には再送用Ｇｒａｎｔを用いて新たな周波数リソースを割り当て、他の端末の上り回線データ（初回送信データ）には、Ｇｒａｎｔ用いて、再送端末が初回送信時に用いた周波数リソースを割り当てる。
【００１０】
しかしながら、基地局が再送端末に再送用Ｇｒａｎｔを送信したにもかかわらず、再送端末が自端末宛ての再送用Ｇｒａｎｔを検出できなかった場合（つまり、ＮＡＣＫ信号のみを検出した場合）が考えられる。この場合、再送端末は、ＮＡＣＫ信号のみを正常に受信するので、自端末の上り回線データに対して第１ＨＡＲＱが適用されたと判断してしまう。よって、再送端末は、上り回線データ（再送データ）を、初回送信時に用いた周波数リソースと予め決められた規則とに基づいて決定される周波数リソースに割り当てる。
【００１１】
そのため、再送端末が初回送信時に用いた周波数リソースと予め決められた規則とに基づいて決定される周波数リソースでは、再送端末の上り回線データ（再送データ）と他の端末の上り回線データ（初回送信データ）との間で衝突が発生してしまう。つまり、再送端末の上り回線データ（再送データ）が他の端末の上り回線データ（初回送信データ）に干渉を与えてしまう。このように、再送端末からの上り回線データ（再送データ）が他の端末からの上り回線データ（初回送信データ）に干渉を与えるため、基地局では、他の端末からの上り回線データ（初回送信データ）の受信品質が劣化してしまい、ＣＲＣ判定は高い確率でＮＧ（誤り有り）となる。特に、再送端末が上り回線データ（再送データ）をDistributed送信する場合には、上り回線データ（再送データ）が広い帯域に分散された非連続な周波数リソース（送信帯域）に割り当てられるため、より多くの他の端末に干渉を与える可能性が高くなってしまう。
【００１２】
また、基地局は、端末からの上り回線データを正常に受信した場合、ＡＣＫ信号をその
端末に送信すると同時に、その端末が用いる予定の再送用の周波数リソースを他の端末の上り回線データに割り当てることもできる。しかしながら、端末がＡＣＫ信号を誤ってＮＡＣＫ信号として検出した場合、その端末は、再送用の周波数リソースに上り回線データ（再送データ）を割り当ててしまう。そのため、端末がＡＣＫ信号を誤ってＮＡＣＫ信号として検出した場合にも、上記同様、再送端末の再送用の周波数リソースでは、再送端末の上り回線データ（再送データ）と他の端末の上り回線データ（初回送信データ）との間で衝突が発生してしまう。つまり、再送端末の上り回線データ（再送データ）が他の端末の上り回線データ（初回送信データ）に干渉を与えてしまう。
【００１３】
本発明の目的は、端末が基地局からの再送用Ｇｒａｎｔまたは応答信号の受信を誤ってしまう場合でも、端末が再送時に干渉を与える他の端末の数を低減することができる無線通信装置および帯域幅決定方法を提供することである。
【課題を解決するための手段】
【００１４】
本発明の無線通信装置は、送信信号の再送時に前記送信信号に割り当てられる送信帯域の両端間の帯域幅を決定する決定手段と、前記帯域幅に基づいて、前記送信信号を周波数リソースに割り当てる割当手段と、を具備し、前記決定手段は、前回送信した前記送信信号の周波数領域での連続度が低いほど、前回送信時に対する前記再送時の前記帯域幅の減少量をより大きくする構成を採る。
【００１５】
本発明の帯域幅決定方法は、送信信号の再送時に前記送信信号に割り当てられる送信帯域の両端間の帯域幅を決定する帯域幅決定方法において、前回送信した前記送信信号の周波数領域での連続度が低いほど、前回送信時に対する前記再送時の前記帯域幅の減少量をより大きくするようにした。
【発明の効果】
【００１６】
本発明によれば、端末が基地局からの再送Ｇｒａｎｔまたは応答信号の受信を誤ってしまう場合でも、端末が再送時に干渉を与える他の端末の数を低減することができる。
【図面の簡単な説明】
【００１７】
【図１Ａ】本発明の実施の形態１に係るLocalized送信時における送信信号の送信帯域を示す図
【図１Ｂ】本発明の実施の形態１に係るDistributed送信時における送信信号の送信帯域を示す図
【図２】本発明の実施の形態１に係る基地局の構成を示すブロック図
【図３】本発明の実施の形態１に係る端末の構成を示すブロック図
【図４】本発明の実施の形態１に係る送信信号の帯域幅決定処理を示す図
【図５】本発明の実施の形態１に係るシーケンスを示す図
【図６】本発明の実施の形態１に係る前回送信時の連続度と再送時の連続度との対応関係を示す図（決定例１−１）
【図７】本発明の実施の形態１に係る前回送信時の連続度と再送時の連続度との対応関係を示す図（決定例１−２）
【図８Ａ】本発明の実施の形態１に係る前回送信時の連続度と再送時の連続度との対応関係を示す図（決定例１−３）
【図８Ｂ】本発明の実施の形態１に係る前回送信時の連続度と再送時の連続度との対応関係を示す図（決定例１−３）
【図９】本発明の実施の形態１に係る前回送信時の連続度と再送時の連続度との対応関係を示す図（決定例１−４）
【図１０】本発明の実施の形態１に係る前回送信時の連続度と再送時の連続度とのその他の対応関係を示す図
【図１１】本発明の実施の形態１に係る前回送信時の連続度と再送時の連続度とのその他の対応関係を示す図
【図１２】本発明の実施の形態１に係るその他の送信信号の帯域幅決定処理を示す図
【図１３】本発明の実施の形態１に係るその他の送信信号の帯域幅決定処理を示す図
【図１４】本発明の実施の形態１に係る連続度と帯域幅の減少量との対応を示す図
【図１５Ａ】本発明の実施の形態２に係る送信信号の帯域幅決定処理を示す図
【図１５Ｂ】本発明の実施の形態２に係る送信信号の帯域幅決定処理を示す図
【図１６Ａ】本発明の実施の形態３に係る送信信号の帯域幅決定処理を示す図
【図１６Ｂ】本発明の実施の形態３に係る送信信号の帯域幅決定処理を示す図
【図１７Ａ】本発明の実施の形態４に係る送信信号の帯域幅決定処理を示す図
【図１７Ｂ】本発明の実施の形態４に係る送信信号の帯域幅決定処理を示す図
【発明を実施するための形態】
【００１８】
以下、本発明の実施の形態について、図面を参照して詳細に説明する。
【００１９】
以下の説明では、１つの端末に割り当てられる複数の送信帯域（周波数リソース）すべてが周波数領域で連続になるようにして送信する送信方法をLocalized送信とする。例えば、図１Ａに示すように、Localized送信では、連続する４リソースブロック（ＲＢ：Resource Block）に１つの端末の送信信号（上り回線データ）が割り当てられる。一方、１つの端末に割り当てられる複数の送信帯域のうち少なくとも１つが不連続になるようにして送信する送信方法をDistributed送信とする。例えば、図１Ｂに示すように、Distributed送信では、３ＲＢ間隔の不連続な４ＲＢに１つの端末の送信信号が割り当てられる。
【００２０】
ここで、ＬＴＥに対応する端末では、図１Ａに示すようなLocalized送信が用いられ、ＬＴＥ−Ａｄｖａｎｃｅｄに対応する端末では、図１Ａに示すLocalized送信に加え、図１Ｂに示すようなDistributed送信が用いられることが考えられる。また、ＬＴＥ−Ａｄｖａｎｃｅｄでは、ＬＴＥ−Ａｄｖａｎｃｅｄに対応する端末のみでなく、ＬＴＥに対応する端末が収容されることが検討されている。つまり、ＬＴＥ−Ａｄｖａｎｃｅｄでは、ＬＴＥ対応の端末およびＬＴＥ−Ａｄｖａｎｃｅｄ対応の端末が同一周波数帯域で共存することが考えられる。すなわち、ＬＴＥ−Ａｄｖａｎｃｅｄでは、ＬＴＥ対応の端末およびＬＴＥ−Ａｄｖａｎｃｅｄ対応の端末がLocalized送信を用いるのに対して、ＬＴＥ−Ａｄｖａｎｃｅｄ対応の端末のみがDistributed送信を用いる。よって、ＬＴＥ−Ａｄｖａｎｃｅｄでは、Distributed送信を用いる端末の数よりも、Localized送信を用いる端末の数の方が多くなる。
【００２１】
よって、端末が基地局からの再送用Ｇｒａｎｔを検出できなかった場合に、その端末から干渉を受けてしまう可能性がある他の端末として、Localized送信を用いる端末を考慮することが望ましい。そこで、以下の説明では、基地局が再送用Ｇｒａｎｔを端末に送信する際にその端末が前回送信時に用いた周波数リソースに割り当てる他の端末として、Localized送信を用いる端末を想定する。
【００２２】
また、Distributed送信を用いる端末が基地局からの再送用Ｇｒａｎｔを検出できなかった場合の方が、Localized送信を用いる端末が基地局からの再送用Ｇｒａｎｔを検出できなかった場合よりも、再送時においてより多くの他の端末に干渉を与えてしまう。例えば、図１Ａに示すように、Localized送信を用いる端末の送信信号は、連続する４ＲＢに割り当てられる。この場合、送信信号が割り当てられた送信帯域（４ＲＢ）以外の送信帯域として、図１Ａに示すように、送信信号の送信帯域の前後にそれぞれ、連続する６ＲＢの送信帯域および連続する５ＲＢの送信帯域が確保される。ここで、基地局は、再送用Ｇｒａｎｔを、Localized送信を用いる端末に送信するとともに、複数の他の端末（例えば、Localized送信を用いる端末）の送信信号を図１Ａに示す周波数帯域に新たに割り当て
るとする。ここで、Localized送信を用いる端末が基地局からの再送用Ｇｒａｎｔを検出できず、例えば、図１Ａに示す送信帯域（前回送信時と同一の送信帯域）を用いて送信信号（再送信号）を再送する場合、図１Ａに示す送信帯域（４ＲＢ）では再送信号と他の端末の送信信号との間で衝突が発生する。しかし、Localized送信を用いる端末の送信帯域以外の送信帯域では、Localized送信に十分な連続した送信帯域が確保されているため、他の端末がLocalized送信を用いる場合でも、再送信号と衝突する可能性が低くなる。
【００２３】
これに対し、図１Ｂに示すように、Distributed送信を用いる端末の送信信号は、周波数帯域全体に分散された４ＲＢに割り当てられる。この場合、送信信号が割り当てられた送信帯域（４ＲＢ）以外の送信帯域として、図１Ｂに示すように、最大３ＲＢの連続した送信帯域しか確保されない。ここで、基地局は、上記同様、再送用Ｇｒａｎｔを、Distributed送信を用いる端末に送信するとともに、複数の他の端末（例えば、Localized送信を用いる端末）の送信信号を図１Ｂに示す周波数帯域に割り当てるとする。ここで、Distributed送信を用いる端末が基地局からの再送用Ｇｒａｎｔを検出できず、例えば、図１Ｂに示す送信帯域（前回送信時と同一の送信帯域）を用いて送信信号（再送信号）を再送する場合、再送信号の送信帯域が周波数帯域全体に均等に分散されているため、再送信号の一部と、Localized送信を用いる他の端末の送信信号とが衝突する可能性が高くなる。
【００２４】
よって、Distributed送信を用いる端末が基地局からの再送用Ｇｒａｎｔを検出できない場合に再送信号が干渉を与える他の端末の数は、Localized送信を用いる端末が基地局からの再送用Ｇｒａｎｔを検出できない場合に再送信号が干渉を与える他の端末の数よりも多くなる可能性が高くなる。また、送信信号が割り当てられる送信帯域が不連続になるほど、つまり、送信信号が割り当てられる各送信帯域の周波数領域における距離が離れるほど、基地局が送信した再送用Ｇｒａｎｔを検出できなかった端末の再送信号と、他の端末の送信信号とが衝突する可能性がより高くなる。その結果、基地局における受信品質が劣化してしまう他の端末の数が多くなる。換言すると、送信信号が割り当てられる送信帯域の連続度（つまり、送信信号の周波数領域での連続度）が低くなるほど、基地局における受信品質が劣化してしまう他の端末の数が多くなる。
【００２５】
そこで、本発明では、前回送信した送信信号の周波数領域での連続度に応じて、その送信信号が再送時に割り当てられる送信帯域の両端間の帯域幅を決定する。また、以下の説明では、送信信号が割り当てられる送信帯域の両端間の帯域幅を有する帯域を所定の周波数帯域とする。
【００２６】
（実施の形態１）
本実施の形態では、所定の周波数帯域における送信信号の送信帯域の割合を送信信号の周波数領域での連続度として用い、その割合が小さいほど前回送信時に対する再送時の所定の周波数帯域の帯域幅の減少量をより大きくする。
【００２７】
本実施の形態に係る基地局１００の構成について、図２を用いて説明する。
【００２８】
図２に示す基地局１００の符号化部１０１には、送信データ（下り回線データ）と、誤り検出部１１６から入力される応答信号（ＡＣＫ信号またはＮＡＣＫ信号）と、スケジューリング部１１８から入力される、初回送信時のリソース割当情報を示すＧｒａｎｔまたは再送時のリソース割当情報を示す再送用Ｇｒａｎｔとが入力される。ここで、応答信号、および、Ｇｒａｎｔまたは再送用Ｇｒａｎｔにより制御情報が構成される。そして、符号化部１０１は、送信データおよび制御情報を符号化し、符号化データを変調部１０２に出力する。
【００２９】
変調部１０２は、符号化部１０１から入力される符号化データを変調し、変調後の信号
を送信ＲＦ部１０３に出力する。
【００３０】
送信ＲＦ部１０３は、変調部１０２から入力される信号にＤ／Ａ変換、アップコンバート、増幅等の送信処理を施し、送信処理を施した信号をアンテナ１０４から各端末へ無線送信する。
【００３１】
受信ＲＦ部１０５は、アンテナ１０４を介して受信した各端末からの信号にダウンコンバート、Ａ／Ｄ変換等の受信処理を施し、受信処理を施した信号を分離部１０６に出力する。
【００３２】
分離部１０６は、受信ＲＦ部１０５から入力される信号を参照信号とデータ信号とに分離する。そして、分離部１０６は、参照信号をＤＦＴ（Discrete Fourier transform）部１０７に出力し、データ信号をＤＦＴ部１１０に出力する。
【００３３】
ＤＦＴ部１０７は、分離部１０６から入力される参照信号にＤＦＴ処理を施し、時間領域から周波数領域の信号に変換する。そして、ＤＦＴ部１０７は、周波数領域に変換した参照信号をデマッピング部１０８に出力する。
【００３４】
デマッピング部１０８は、ＤＦＴ部１０７から入力される周波数領域の参照信号から各端末の送信帯域に対応した部分の参照信号を抽出する。そして、デマッピング部１０８は、抽出した各参照信号を推定部１０９に出力する。
【００３５】
推定部１０９は、デマッピング部１０８から入力される参照信号に基づいて、伝搬路の周波数変動（伝搬路の周波数応答）の推定値および受信品質の推定値を推定する。そして、推定部１０９は、伝搬路の周波数変動の推定値を周波数領域等化部１１２に出力し、受信品質の推定値をスケジューリング部１１８に出力する。
【００３６】
一方、ＤＦＴ部１１０は、分離部１０６から入力されるデータ信号にＤＦＴ処理を施し、時間領域から周波数領域の信号に変換する。そして、ＤＦＴ部１１０は、周波数領域に変換したデータ信号をデマッピング部１１１に出力する。
【００３７】
デマッピング部１１１は、ＤＦＴ部１１０から入力される信号から各端末の送信帯域に対応した部分のデータ信号を抽出する。そして、デマッピング部１１１は、抽出した各信号を周波数領域等化部１１２に出力する。
【００３８】
周波数領域等化部１１２は、推定部１０９から入力される伝搬路の周波数変動の推定値を用いて、デマッピング部１１１から入力されるデータ信号に等化処理を施す。そして、周波数領域等化部１１２は、等化処理を施した信号をＩＦＦＴ（Inverse Fast Fourier Transform）部１１３に出力する。
【００３９】
ＩＦＦＴ部１１３は、周波数領域等化部１１２から入力されるデータ信号にＩＦＦＴ処理を施す。そして、ＩＦＦＴ部１１３は、ＩＦＦＴ処理を施した信号を復調部１１４に出力する。
【００４０】
復調部１１４は、ＩＦＦＴ部１１３から入力される信号に復調処理を施し、復調処理を施した信号を復号部１１５に出力する。
【００４１】
復号部１１５は、復調部１１４から入力される信号に復号処理を施し、復号処理を施した信号（復号ビット列）を誤り検出部１１６に出力する。
【００４２】
誤り検出部１１６は、復号部１１５から入力される復号ビット列に対して誤り検出を行う。例えば、誤り検出部１１６は、ＣＲＣを用いて誤り検出を行う。誤り検出部１１６は、誤り検出の結果、復号ビットに誤りが有る場合には応答信号としてＮＡＣＫ信号を生成し、復号ビットに誤りが無い場合には応答信号としてＡＣＫ信号を生成する。そして、誤り検出部１１６は、生成した応答信号を符号化部１０１および決定部１１７に出力する。また、誤り検出部１１６は、復号ビットに誤りが無い場合には、データ信号を受信データとして出力する。
【００４３】
決定部１１７およびスケジューリング部１１８には、第１ＨＡＲＱおよび第２ＨＡＲＱのうち、いずれのＨＡＲＱを用いるかを示すＨＡＲＱ選択情報が入力される。
【００４４】
誤り検出部１１６から入力される応答信号がＮＡＣＫ信号であり、かつ、ＨＡＲＱ選択情報に示されるＨＡＲＱが第１ＨＡＲＱの場合（つまり、第１ＨＡＲＱの再送時）、決定部１１７は、スケジューリング部１１８から入力される前回送信時のスケジューリング情報（Ｇｒａｎｔまたは再送用Ｇｒａｎｔ）に基づいて、端末の送信信号（送信データおよび参照信号）の再送時に、その送信信号に割り当てられる送信帯域の両端間の帯域幅、つまり、所定の周波数帯域の帯域幅を決定する。具体的には、決定部１１７は、まず、スケジューリング部１１８から入力される前回送信時のＧｒａｎｔを用いて、端末が前回送信した送信信号の周波数領域での連続度を算出する。ここでは、所定の周波数帯域における送信信号の送信帯域の割合を、端末が送信する送信信号の周波数領域での連続度とする。
【００４５】
そして、決定部１１７は、前回送信時の連続度に応じて、再送時の所定の周波数帯域の帯域幅を決定する。具体的には、決定部１１７は、前回送信時の所定の周波数帯域における送信信号の送信帯域の割合が小さいほど（連続度が低いほど）、前回送信時に対する再送時の所定の周波数帯域の帯域幅の減少量をより大きくする。つまり、決定部１１７は、前回送信時の連続度が低いほど、再送時の所定の周波数帯域における送信データの送信帯域の割合、つまり、連続度の増加量を大きくする。そして、決定部１１７は、決定した帯域幅を示す情報をスケジューリング部１１８に出力する。
【００４６】
スケジューリング部１１８は、ＨＡＲＱ選択情報、推定部１０９から入力される受信品質の推定値および決定部１１７から入力される帯域幅を示す情報に基づいて、各端末が送信する送信信号の送信帯域（周波数リソース）をスケジューリングする。例えば、スケジューリング部１１８は、初回送信時には、受信品質の推定値に基づいて初回送信時の送信信号の送信帯域をスケジューリングし、スケジューリング結果を示すＧｒａｎｔを符号化部１０１および決定部１１７に出力する。
【００４７】
また、ＨＡＲＱ選択情報に示されるＨＡＲＱが第２ＨＡＲＱの場合、スケジューリング部１１８は、受信品質の推定値に基づいて、再送端末の送信信号（再送信号）の送信帯域をスケジューリングし、スケジューリング結果を示す再送用Ｇｒａｎｔを符号化部１０１および決定部１１７に出力する。また、スケジューリング部１１８は、再送端末以外の他の端末の送信信号を、再送端末が再送時に用いる予定であった送信帯域を含む周波数帯域に割り当てる。
【００４８】
一方、ＨＡＲＱ選択情報に示されるＨＡＲＱが第１ＨＡＲＱの場合、スケジューリング部１１８は、決定部１１７から入力される情報に示される帯域幅に基づいて、再送端末の送信信号（再送信号）に割り当てる送信帯域を確保するとともに、再送端末以外の他の端末の送信信号を、再送端末に確保した送信帯域以外の送信帯域に割り当てる。
【００４９】
次に、本実施の形態に係る端末２００の構成について、図３を用いて説明する。
【００５０】
図３に示す端末２００の受信ＲＦ部２０２は、アンテナ２０１を介して受信した基地局１００からの信号にダウンコンバート、Ａ／Ｄ変換等の受信処理を施し、受信処理を施した信号を復調部２０３に出力する。
【００５１】
復調部２０３は、受信ＲＦ部２０２から入力される信号に等化処理および復調処理を施し、これらの処理を施した信号を復号部２０４に出力する。
【００５２】
復号部２０４は、復調部２０３から入力される信号に復号処理を施し、受信データおよび制御情報を抽出する。復号部２０４は、抽出した制御情報を決定部２０５に出力する。なお、制御情報には、応答信号（ＡＣＫ信号またはＮＡＣＫ信号）、および、Ｇｒａｎｔまたは再送用Ｇｒａｎｔが含まれる。
【００５３】
決定部２０５は、復号部２０４から入力される制御情報にＮＡＣＫ信号のみが含まれる場合、前回送信時の送信信号（送信データおよび参照信号）の所定の周波数帯域における送信帯域の割合、つまり、自端末が前回送信した送信信号の周波数領域での連続度を算出する。そして、決定部２０５は、送信信号の再送時に、送信信号に割り当てられる送信帯域の両端間の帯域幅（すなわち、所定の周波数帯域の帯域幅）を決定する。ここで、決定部２０５は、決定部１１７（図２）と同様にして、前回送信時の所定の周波数帯域における送信信号の送信帯域の割合が小さいほど（連続度が低いほど）、前回送信時に対する再送時の所定の周波数帯域の帯域幅の減少量をより大きくする。そして、決定部２０５は、決定した帯域幅を示す情報を割当部２０９に出力する。なお、決定部２０５における所定の周波数帯域の帯域幅の決定処理の詳細については後述する。
【００５４】
ＣＲＣ部２０６は、送信データに対してＣＲＣ符号化を行ってＣＲＣ符号化データを生成し、生成したＣＲＣ符号化データを符号化部２０７に出力する。
【００５５】
符号化部２０７は、ＣＲＣ部２０６から入力されるＣＲＣ符号化データを符号化し、符号化データを変調部２０８に出力する。
【００５６】
変調部２０８は、符号化部２０７から入力される符号化データを変調し、変調後のデータ信号を割当部２０９に出力する。
【００５７】
割当部２０９は、復号部２０４から入力されるＧｒａｎｔ、再送用Ｇｒａｎｔまたは決定部２０５から入力される帯域幅を示す情報に基づいて、変調部２０８から入力されるデータ信号（初回送信信号または再送信号）を周波数リソース（ＲＢ）に割り当てる。割当部２０９は、ＲＢに割り当てられた信号を多重化部２１０に出力する。
【００５８】
多重化部２１０は、参照信号と割当部２０９から入力される信号とを時間多重し、多重信号を送信ＲＦ部２１１に出力する。
【００５９】
送信ＲＦ部２１１は、多重化部２１０から入力される多重信号にＤ／Ａ変換、アップコンバート、増幅等の送信処理を施し、送信処理を施した信号をアンテナ２０１から基地局１００へ無線送信する。
【００６０】
次に、本実施の形態における端末２００の決定部２０５（図３）における再送時の所定の周波数帯域の帯域幅の決定処理の詳細について説明する。
【００６１】
以下の説明では、例えば、図１Ａに示すように、端末２００の送信信号がLocalized送信される場合、端末２００の送信信号が割り当てられた送信帯域の両端間の帯域幅を有する所定の周波数帯域（Ａ）は４ＲＢであり、送信信号の送信帯域（Ｂ）も４ＲＢである。
よって、所定の周波数帯域（Ａ）における送信信号の送信帯域（Ｂ）の割合Ｂ／Ａ（連続度）は１（＝４／４）となる。すなわち、Localized送信時における連続度（割合Ｂ／Ａ）は最大値１となる。一方、図１Ｂに示すように、端末２００の送信信号がDistributed送信される場合、所定の周波数帯域（Ａ）は、１３ＲＢであり、送信信号の送信帯域（Ｂ）は４ＲＢである。よって、所定の周波数帯域（Ａ）における送信信号の送信帯域（Ｂ）の割合Ｂ／Ａ（連続度）は４／１３となる。すなわち、Distributed送信時における連続度（割合Ｂ／Ａ）は１未満となる。
【００６２】
また、以下の説明では、端末２００が基地局１００からの再送用Ｇｒａｎｔを検出しなかった場合について説明する。なお、端末２００が基地局１００からの再送用Ｇｒａｎｔを検出しなかった場合としては、端末２００の送信信号に対して第２ＨＡＲＱを適用し、基地局１００が端末２００に再送用Ｇｒａｎｔを送信したにもかかわらず、端末２００が再送用Ｇｒａｎｔを検出できなかった場合、および、端末２００の送信信号に対して第１ＨＡＲＱを適用する場合がある。
【００６３】
決定部２０５は、割合Ｂ／Ａが小さいほど（連続度が低いほど）、前回送信時に対する再送時の所定の周波数帯域（Ａ）の帯域幅の減少量をより大きくする。例えば、図１Ａに示すように連続度（割合Ｂ／Ａ）が１（＝４／４）の場合には、決定部２０５は、前回送信時に対する再送時の所定の周波数帯域（Ａ）の帯域幅の減少量を０ＲＢとする。これにより、再送時の所定の周波数帯域（Ａ）は、前回送信時と同一の４（＝４−０）ＲＢとなる。つまり、再送時の送信信号の周波数領域での連続度（割合Ｂ／Ａ）は前回送信時と同一の１（＝４／４）となる。これに対し、図１Ｂに示すように前回送信時の連続度（割合Ｂ／Ａ）が４／１３の場合には、決定部２０５は、前回送信時に対する再送時の所定の周波数帯域（Ａ）の帯域幅の減少量を、連続度が１の場合（減少量＝０ＲＢ）よりも大きい４ＲＢとする。これにより、再送時の所定の周波数帯域（Ａ）は、９（＝１３−４）ＲＢとなる。つまり、再送時の送信信号の周波数領域での連続度（割合Ｂ／Ａ）は４／９となる。
【００６４】
このように、端末２００が自端末宛ての再送用Ｇｒａｎｔを受信しない場合、端末２００は、再送時には、前回送信時の所定の周波数帯域（Ａ）の帯域幅よりも、再送時の所定の周波数帯域（Ａ）の帯域幅を狭くする。ただし、端末２００は、前回送信時の連続度が低いほど（図１Ｂでは連続度：４／１３）、前回送信時に対する再送時の所定の周波数帯域の帯域幅の減少量をより大きくし（図１Ｂでは減少量：４ＲＢ）、前回送信時の連続度が高いほど（図１Ａでは連続度：最大値１）、前回送信時に対する再送時の所定の周波数帯域の帯域幅の減少量をより小さくする（図１Ａでは減少量：最小値０ＲＢ）。
【００６５】
ここで、基地局１００は、端末２００に再送用Ｇｒａｎｔを送信するとともに、例えば図４に示すように、前回送信時（初回送信時）に端末２００に割り当てた送信帯域を含む周波数帯域を他の端末（端末Ａおよび端末Ｂ）に割り当てる。図４では、端末Ａおよび端末Ｂの送信信号が、端末２００の再送時（２回目送信時）にLocalized送信される。しかし、基地局１００が再送用Ｇｒａｎｔを送信したにもかかわらず、端末２００が自端末宛ての再送用Ｇｒａｎｔを検出できなかった場合、端末２００は、前回送信時（初回送信時）に端末２００に割り当てられた送信帯域に再送信号を割り当てる。ただし、端末２００は、図４に示すように、前回送信時（初回送信時）と比較して、再送時（２回目送信時）の送信信号（再送信号）の所定の周波数帯域（Ａ）の帯域幅を狭くする。これにより、図４に示すように、端末２００が再送する再送信号は、端末Ａが割り当てられた送信帯域のみに重複して割り当てられる。例えば、端末２００が再送する再送信号を、前回送信時と全く同一の送信帯域に割り当てると、再送信号は、端末Ａおよび端末Ｂの双方に干渉を与えてしまう。しかし、本実施の形態によれば、図４に示すように、端末２００が再送する再送信号は、端末Ａのみに干渉を与え、端末Ｂには干渉を与えない。
【００６６】
次に、本実施の形態に係る具体的なシーケンス例を図５に示す。図５では、端末２００の送信信号に対して第２ＨＡＲＱを適用し、基地局１００が端末２００に再送用Ｇｒａｎｔを送信したにもかかわらず、端末２００が再送用Ｇｒａｎｔを検出できなかった場合について説明する。
【００６７】
ステップ（以下、ＳＴという）１０１では、基地局１００のスケジューリング部１１８は、受信品質の推定値（つまり、端末２００からフィードバックされる受信品質）に基づいて、端末２００の送信信号（データ信号）に割り当てる送信帯域（周波数リソース）をスケジューリングする。ＳＴ１０２では、基地局１００は、スケジューリング結果を示すＧｒａｎｔを端末２００へ送信する。
【００６８】
ＳＴ１０３では、端末２００の割当部２０９は、基地局１００からのＧｒａｎｔに基づいてデータ信号をＲＢに割り当てる。ＳＴ１０４では、端末２００は、ＲＢに割り当てたデータ信号を基地局１００へ送信する。
【００６９】
ＳＴ１０５では、基地局１００の誤り検出部１１６は、端末２００から送信されたデータ信号に対して誤り検出を行い、応答信号（ＡＣＫ信号またはＮＡＣＫ信号）を生成する。ここでは、誤り検出部１１６は、応答信号としてＮＡＣＫ信号を生成する。また、基地局１００のスケジューリング部１１８は、端末２００の再送信号を割り当てる送信帯域を示す再送用Ｇｒａｎｔを生成する。また、基地局１００は、ＳＴ１０１で生成したＧｒａｎｔに示される送信帯域を他の端末（例えば、図４に示す端末Ａおよび端末Ｂ）に割り当てる。ＳＴ１０６では、基地局１００は、生成した応答信号（ＮＡＣＫ信号）および再送用Ｇｒａｎｔを含む制御情報を端末２００へ送信する。しかし、端末２００は、例えば、下り回線のこの時の回線品質が低いこと等の影響により、自端末宛ての再送用Ｇｒａｎｔを検出できなかったものとする。
【００７０】
よって、端末２００は、基地局１００からの制御情報としてＮＡＣＫ信号のみを受信し、自端末のデータ信号に第１ＨＡＲＱが適用された判断するため、ＳＴ１０７では、決定部２０５は、ＳＴ１０２で受信したＧｒａｎｔに示される送信帯域、つまり、前回送信時の送信帯域に基づいて、前回送信時の送信信号の周波数領域での連続度を算出する。そして、決定部２０５は、連続度に応じて、再送時の送信信号の所定の周波数帯域の帯域幅を決定する。
【００７１】
ＳＴ１０８では、端末２００の割当部２０９は、ＳＴ１０７で決定した帯域幅に基づいて、再送信号をＲＢに割り当て、再送信号を基地局１００へ再送する。
【００７２】
なお、端末２００の送信信号に対して第１ＨＡＲＱが適用される場合、基地局１００の決定部１１７は、決定部２０５と同様にして、前回送信時の連続度が低いほど、前回送信時に対する再送時の所定の周波数帯域の帯域幅の減少量をより大きくする。このとき、基地局１００は、所定の周波数帯域の帯域幅の減少量だけの送信帯域を他の端末に割り当てることができる。具体的には、端末２００の前回送信時（初回送信時）の送信信号に誤りがある場合、基地局１００は、ＮＡＣＫ信号のみを端末２００に送信する。ここで、基地局１００および端末２００は、図４に示すように、前回送信時と比較して、再送時（例えば、２回目送信時）の送信信号（再送信号）の所定の周波数帯域の帯域幅を狭くする。これにより、端末２００の送信信号の再送時（２回目送信時）には、前回送信時（初回送信時）に対する所定の周波数帯域の帯域幅の減少量だけの送信帯域（図４に示す端末Ｂの帯域幅に相当する送信帯域）が確保される。よって、基地局１００は、端末２００の送信信号の送信帯域を確保しつつ、新たに確保された送信帯域において、他の端末（例えば、図４に示す端末ＢのようなLocalized送信を用いる端末）に対してスケジューリングするこ
とができる。
【００７３】
次に、決定部１１７および決定部２０５における送信信号の所定の周波数帯域の帯域幅の決定例１−１〜１−４について説明する。図６〜９に前回送信時の連続度と再送時の連続度との対応関係を示す。図６〜９では、前回送信時の連続度をｘ（０＜ｘ≦１）とし、再送時の連続度をｙ（０＜ｙ≦１）とする。ここで、前回送信時の連続度ｘ＝１では、再送時の連続度ｙも１となる。また、図６〜９では、前回送信時の連続度ｘと再送時の連続度ｙとが同一である場合、すなわち、ｙ＝ｘの場合を破線で示す。
【００７４】
＜決定例１−１（図６）＞
本決定例では、前回送信した送信信号の周波数領域での連続度が低いほど、前回送信時に対する再送時の所定の周波数帯域の帯域幅の減少量をより大きくする。
【００７５】
すなわち、決定部１１７および決定部２０５は、前回送信時の連続度が低いほど、再送時には、割合Ｂ／Ａの分母である、所定の周波数帯域（Ａ）の帯域幅の減少量をより大きくする。ここで、割合Ｂ／Ａのうち、送信帯域（Ｂ）は前回送信時および再送時において不変である。このため、前回送信時の連続度が低いほど、所定の周波数帯域（Ａ）の帯域幅の減少量をより大きくすることにより、再送時の連続度（割合Ｂ／Ａ）の増加量はより大きくなる。具体的には、図６に示すように、前回送信時の連続度ｘと再送時の連続度ｙとの間には、ｙ＝αｘ＋Ｓ（ただし、α＜１，Ｓは任意の数）の関係がある。ここで、図６ではＳ＝１−αとなる。
【００７６】
図６に示すように、前回送信時の連続度ｘが低いほど、再送時の連続度ｙの増加量（すなわち、同一の値を採るｘにおける、ｙ軸での実線と破線との差分）がより大きくなる。また、図６に示すようにαの値を小さくするほど、Ｓ（＝１−α）の値が大きくなり、前回送信時の連続度ｘに対する再送時の連続度ｙの増加量はより大きくなる。
【００７７】
このように、本決定例によれば、端末２００は、前回送信時の連続度が低いほど、前回送信時に対する再送時の所定の周波数帯域の帯域幅の減少量をより大きくする。これにより、端末２００は、基地局１００が送信した再送用Ｇｒａｎｔを検出しなかった場合、前回送信時よりも狭い帯域幅の所定の周波数帯域に割り当てる。よって、端末２００が再送用Ｇｒａｎｔを検出できずに、他の端末の送信信号が割り当てられている送信帯域に再送信号を誤って割り当てる場合でも、端末２００の再送信号は、他の端末のうちの一部の端末の送信信号と衝突して干渉を与えるものの、他の端末のうち一部の端末以外の端末には干渉を与えない。換言すると、本決定例によれば、端末２００の再送信号が割り当てられる送信帯域を一部の周波数帯域に集中させることにより、再送信号が干渉を与える他の端末の数を低減することができる。よって、端末２００の再送信号と衝突して受信品質が劣化してしまう他の端末の数を低減することができる。
【００７８】
＜決定例１−２（図７）＞
本決定例では、前回送信した送信信号の周波数領域での連続度が低いほど、前回送信時に対する再送時の帯域幅の減少量をより大きくすることにより、再送時の連続度が１となる所定の周波数帯域の帯域幅を決定する。
【００７９】
具体的には、決定部１１７および決定部２０５は、決定例１−１と同様、前回送信時の連続度が低いほど、前回送信時に対する再送時の所定の周波数帯域（Ａ）の帯域幅の減少量をより大きくする。ただし、決定部１１７および決定部２０５は、前回送信時の連続度がいずれの値でも、再送時の連続度（割合Ｂ／Ａ）が１となる帯域幅を決定する。換言すると、決定部１１７および決定部２０５は、前回送信時の連続度がいずれの値でも、再送時の送信信号がLocalized送信されるように、再送時の所定の周波数帯域（Ａ）の帯域幅
を決定する。
【００８０】
具体的には、図７に示すように、前回送信時の連続度ｘと再送時の連続度ｙとの間には、ｙ＝ｂ（ただし、ｂ＝１）の関係がある。すなわち、前回送信時の連続度ｘがいずれの値でも、再送時の連続度ｙは１となる。ここで、図７に示す本決定例は、決定例１−１（図６）の前回送信時の連続度ｘと再送時の連続度ｙとの関係ｙ＝αｘ＋Ｓ（ただし、α＝１−Ｓ）において、Ｓ＝１としたときと等価である。
【００８１】
このように、決定部１１７および決定部２０５は、再送時には、送信信号（再送信号）がLocalized送信されるように所定の周波数帯域（Ａ）の帯域幅を最小にする。例えば、前回送信時では図１Ｂに示すように、送信信号が周波数帯域全体に分散して割り当てられている場合（連続度：４／１３）でも、再送時には、図１Ａに示すように、送信信号は、連続する送信帯域（連続度：１（＝４／４））に割り当てられる。
【００８２】
よって、端末２００が、基地局１００が送信した再送用Ｇｒａｎｔを検出できずに、他の端末の送信信号が割り当てられている送信帯域に再送信号を誤って割り当てる場合でも、決定例１−１と同様にして、端末２００の再送信号が干渉を与える他の端末の数を低減することができる。また、基地局１００は、例えば、図１Ａに示すように、再送信号が割り当てられる送信帯域（すなわち、干渉が発生する送信帯域）以外の送信帯域において、連続する送信帯域をより多く確保することができる。よって、基地局１００は、端末２００の再送信号が割り当てられる送信帯域以外の連続する送信帯域に、他の端末（例えば、Localized送信を用いる端末）の送信信号を割り当てることができる。
【００８３】
このように、本決定例によれば、決定例１−１と同様、再送時に干渉を与える他の端末の数を低減することができる。さらに、本決定例によれば、再送時には端末２００の送信信号が連続する送信帯域に割り当てられるため、基地局１００は、他の端末に対しても連続する送信帯域を確保することができる。よって、基地局１００は、他の端末に対して柔軟にスケジューリングすることが可能となる。
【００８４】
＜決定例１−３（図８Ａ，Ｂ）＞
端末２００が前回送信した送信信号の所定の周波数帯域の帯域幅が、例えば、図４に示す端末Ａの送信信号が割り当てられる送信帯域の帯域幅以下の場合を考える。この場合、上記決定例１−１および１−２のようにして、基地局１００および端末２００が端末２００の送信信号の所定の周波数帯域の帯域幅を狭くしなくても、端末２００の送信信号は端末Ａのみに干渉を与え、端末Ｂの送信信号には干渉を与えない。
【００８５】
すなわち、前回再送時の連続度によっては、再送時に所定の周波数帯域の帯域幅を狭くしなくても、端末２００の送信信号が干渉を与える他の端末の数を低く抑えることが可能となる。
【００８６】
そこで、本決定例では、送信信号の周波数領域での連続度が所定の閾値未満の場合のみ、その送信信号の周波数領域での連続度が低いほど、前回送信時に対する再送時の所定の周波数帯域の帯域幅の減少量をより大きくする。
【００８７】
具体的には、決定部１１７および決定部２０５では、再送時に所定の周波数帯域の帯域幅を狭くするか否かを判断するための所定の閾値が予め設定されている。そして、決定部１１７および決定部２０５は、前回送信時の連続度が所定の閾値未満の場合、決定例１−１（または、決定例１−２）と同様、前回送信時の連続度が低いほど、所定の周波数帯域の帯域幅の減少量をより大きくする。一方、決定部１１７および決定部２０５は、前回送信時の連続度が所定の閾値以上の場合、所定の周波数帯域の帯域幅の減少量を０とする。
すなわち、決定部１１７および決定部２０５は、前回送信時の連続度が所定の閾値以上の場合、再送時の連続度を前回送信時の連続度と同一にする。
【００８８】
例えば、図８Ａに示すように、前回送信時の連続度ｘが閾値Ｔ未満の場合、前回送信時の連続度ｘと再送時の連続度ｙとの間には、ｙ＝αｘ＋（Ｔ（１−α））（ただし、α＜１）の関係がある。また、前回送信時の連続度ｘが閾値Ｔ以上の場合、前回送信時の連続度ｘと再送時の連続度ｙとの間には、ｙ＝ｘの関係がある。これは、ｙ＝αｘ＋（Ｔ（１−α））において、α＝１にした場合と等価である。すなわち、前回送信時の連続度ｘが閾値Ｔ以上の場合には、連続度ｙの傾きαを１にすることにより、再送時の連続度ｙは、前回送信時の連続度ｘと同一となり、前回送信時の連続度ｘが閾値Ｔ未満の場合には、連続度ｙの傾きαを１未満にすることにより、再送時の連続度ｙは、前回送信時の連続度ｘよりも高くなる。
【００８９】
ここで、閾値Ｔは、例えば、図４に示す端末Ａの送信信号の送信帯域幅となるような連続度に設定される。この場合、端末２００の送信信号の連続度が閾値Ｔ以上では、再送時の連続度ｙが前回送信時の連続度ｘと同一であっても、端末２００の送信信号が端末Ａにのみ干渉を与え、端末Ｂに干渉を与えない。なお、閾値Ｔの設定値は、上述した設定値に限らない。
【００９０】
このように、前回送信時の連続度ｘが高い場合（閾値Ｔ以上の場合）、端末２００は、所定の周波数帯域の帯域幅を狭くしなくても、再送時に端末２００の送信信号が干渉を与える他の端末の数を少なく抑えることができる。一方、前回送信時の連続度ｘが低い場合（閾値Ｔ未満の場合）、端末２００は、連続度ｘが低いほど、前回送信時に対する再送時の所定の周波数帯域の帯域幅の減少量をより大きくするため、決定例１−１と同様、再送時に端末２００の送信信号が干渉を与える他の端末の数を低減することができる。
【００９１】
このように、本決定例によれば、前回送信時の連続度が閾値Ｔ未満では、決定例１−１と同様の効果を得ることができる。また、本決定例によれば、前回送信時の連続度が閾値Ｔ以上では、再送時の連続度を前回送信時と同一の連続度とするため、端末２００の送信信号が干渉を与える他の端末の数を少なく抑えつつ、前回送信時と同一の周波数ダイバーシチ効果を得ることができる。
【００９２】
なお、本決定例では、前回送信時の連続度ｘと再送時の連続度ｙとの対応関係として、図８Ａの代わりに例えば図８Ｂに示す対応関係を用いてもよい。図８Ｂでは、前回送信時の連続度ｘが閾値Ｔ以上の場合は図８Ａと同様であり、前回送信時の連続度ｘが閾値Ｔ未満の場合、前回送信時の連続度ｘと再送時の連続度ｙとの間には、ｙ＝Ｔの関係がある。
【００９３】
＜決定例１−４（図９）＞
送信信号の周波数領域での連続度がより低いほど、所定の周波数帯域の帯域幅はより広くなる。そのため、前回送信時の連続度が低いほど、端末２００が再送用Ｇｒａｎｔを検出できなかった場合に再送信号が干渉を与える他の端末の数を低減するためには、再送時の所定の周波数帯域の帯域幅の減少量をより大きくする必要がある。一方、前回送信時の連続度がより高いほど、前回送信時に対する再送時の所定の周波数帯域の帯域幅を狭くすることによる、再送信号が干渉を与える他の端末の数を低減する効果はより小さい。
【００９４】
そこで、本決定例では、前回送信時の連続度が閾値Ｔ未満の場合と、前回送信時の連続度が閾値Ｔ以上の場合とで、再送時の所定の周波数帯域（Ａ）の帯域幅の減少量の割合を異ならせる。具体的には、前回送信時の連続度が閾値Ｔ以上の場合よりも、前回送信時の連続度が閾値Ｔ未満の場合における再送時の所定の周波数帯域の帯域幅の減少量の割合をより大きくする。
【００９５】
例えば、図９に示すように、前回送信時の連続度ｘが閾値Ｔ未満の場合、前回送信時の連続度ｘと再送時の連続度ｙとの間には、ｙ＝βｘ＋Ｓ’（ただし、β＜α，Ｓ’は任意の数）の関係がある。一方、図９に示すように、前回送信時の連続度ｘが閾値Ｔ以上の場合、前回送信時の連続度ｘと再送時の連続度ｙとの間には、ｙ＝α（ｘ−Ｔ）＋（βＴ＋Ｓ’）（ただし、α＜１，Ｓ’は任意の数）の関係がある。
【００９６】
前回送信時の連続度ｘが閾値Ｔ未満の場合の再送時の連続度ｙの傾きはβであり、前回送信時の連続度が閾値Ｔ以上の場合の再送時の連続度ｙの傾きは、βよりも大きい値のαである。すなわち、再送時の連続度ｙの傾きαおよびβには、β＜α＜１の関係がある。よって、図９に示すように、前回送信時の連続度ｘが閾値Ｔ未満の場合（傾き：β）の方が、前回送信時の連続度が閾値Ｔ以上の場合（傾き：α）よりも、前回送信時（傾き：１）に対する再送時の連続度の増加量の割合がより大きくなる。換言すると、前回送信時の連続度ｘが閾値Ｔ未満の場合（傾き：β）の方が、前回送信時の連続度が閾値Ｔ以上の場合（傾き：α）よりも、前回送信時（傾き：１）に対する再送時の所定の周波数帯域の帯域幅の減少量の割合がより大きくなる。
【００９７】
このように、本決定例によれば、前回送信時の連続度ｘが低いほど（連続度ｘが閾値Ｔ未満の場合）、つまり、基地局１００が送信した再送用Ｇｒａｎｔを検出できなかった端末２００の再送信号が干渉を与える他の端末の数が多くなる可能性が高いほど、再送時の所定の周波数帯域の帯域幅の減少量の割合をより大きくすることができる。
【００９８】
よって、本決定例によれば、前回送信時の連続度に応じて、再送時の所定の周波数帯域の帯域幅を、決定例１−１よりもさらに細かく決定することができる。
【００９９】
以上、決定部１１７および決定部２０５における送信信号の所定の周波数帯域の帯域幅の決定例１−１〜１−４について説明した。
【０１００】
このようにして、本実施の形態によれば、端末２００は、前回送信した送信信号の周波数領域での連続度が低いほど、前回送信時に対する再送時の所定の周波数帯域の帯域幅の減少量をより大きくする。これにより、前回送信時の連続度が低い場合でも、再送時には送信信号を狭帯域で送信することができるため、端末２００の送信信号（再送信号）からの干渉を受けることにより、送信信号の受信品質が劣化してしまう他の端末の数を低減することができる。よって、本実施の形態によれば、端末が基地局からの再送用Ｇｒａｎｔの受信を誤ってしまう場合でも、再送時に干渉を与える他の端末の数を低減することができる。
【０１０１】
なお、本実施の形態では、基地局１００が再送用Ｇｒａｎｔを送信したにもかかわらず、端末２００が再送用Ｇｒａｎｔを検出できなかった場合について説明した。しかし、本発明は、基地局が応答信号としてＡＣＫ信号を送信したにもかかわらず、端末２００がＡＣＫ信号を誤ってＮＡＣＫ信号として検出した場合についても適用することができる。具体的には、基地局１００は、端末２００にＡＣＫ信号を送信するとともに、端末２００が用いる予定の再送用の送信帯域を他の端末の送信信号に割り当てる。一方、端末２００は、ＡＣＫ信号を誤ってＮＡＣＫ信号として受信するため、送信信号を再送用の送信帯域に割り当てて再送してしまう。ただし、本実施の形態と同様にして、端末２００は、前回送信時の連続度に応じて、再送時の送信信号の所定の周波数帯域の帯域幅を決定するため、基地局１００で新たに割り当てられた他の端末の送信信号と端末２００の再送信号とが衝突する可能性を低減することができる。このようにして、本実施の形態によれば、端末が基地局からのＡＣＫ信号を誤ってＮＡＣＫ信号として検出する場合でも、再送時に干渉を与える他の端末の数を低減することができる。
【０１０２】
また、本実施の形態では、例えば、決定例１−３（図８Ａ，Ｂ）および決定例１−４（図９）に示すように、閾値Ｔを設定した場合、閾値Ｔの前後において再送時の連続度ｙが連続する場合について説明した。しかし、本発明では、例えば、図１０に示すように、閾値Ｔの前後において再送時の連続度ｙが不連続であってもよい。図１０では、前回送信時の連続度ｘが閾値Ｔ未満の場合、前回送信時の連続度ｘと再送時の連続度ｙとの間には、ｙ＝βｘ＋Ｓ”（ただし、β＜α，Ｓ”は任意の数）の関係がある。また、前回送信時の連続度ｘが閾値Ｔ以上の場合、前回送信時の連続度ｘと再送時の連続度ｙとの間には、ｙ＝α（ｘ−Ｔ）＋Ｒ（ただし、α＜１，Ｒは任意の数）の関係がある。すなわち、閾値Ｔの前後における再送時の連続度ｙには、図１０に示すように、βＴだけ差が生じる。
【０１０３】
また、本実施の形態では、例えば図６〜１０に示すように、前回送信時の連続度ｘと再送時の連続度ｙとが１次関数で表される場合について説明した。しかし、本発明では、前回送信時の連続度ｘが低いほど、前回送信時に対する再送時の所定の周波数帯域（Ａ）の帯域幅の減少量がより大きくなるという条件を満たせばよい。例えば、本発明は、図１１に示すように、前回送信時の連続度ｘと再送時の連続度ｙとが２次関数で表される場合についても適用することができる。
【０１０４】
また、本実施の形態では、図４に示すように、送信信号の所定の周波数帯域全体に対して本発明を適用する場合について説明した。しかし、本発明は、例えば、図１２および図１３に示す送信信号の所定の周波数帯域（Ａ）のうち、一部の周波数帯域に対して部分的に適用してもよい。具体的には、図１２および図１３に示すように、送信信号の所定の周波数帯域（Ａ）をブロック１とブロック２とに分割し、それぞれのブロック毎に部分的に本発明を適用してもよい。
【０１０５】
また、本実施の形態では、前回送信時の連続度に応じて、再送時の所定の周波数帯域の帯域幅を決定する場合について説明した。例えば、本発明では、前回送信時の連続度を２値（連続度１（Localized送信）および連続度１未満（Distributed送信））としてもよい。例えば、図１４に示すように、連続度が最大値１（Localized送信）では、決定部１１７および決定部２０５は、前回送信時に対する再送時の所定の周波数帯域の帯域幅の減少量をＸとする。一方、図１４に示すように、連続度が１未満（Distributed送信）では、決定部１１７および決定部２０５は、前回送信時に対する再送時の所定の周波数帯域の帯域幅の減少量を、連続度が１における減少量Ｘよりも大きいＹとする。
【０１０６】
（実施の形態２）
実施の形態１では、所定の周波数帯域における送信信号の送信帯域の割合を送信信号の周波数領域での連続度とする場合について説明した。これに対し、本実施の形態では、送信信号の周波数領域で隣接する送信帯域間の周波数間隔を送信信号の周波数領域での連続度とする場合について説明する。
【０１０７】
例えば、図１Ａに示すように、端末２００の送信信号がLocalized送信される場合、自端末の送信信号が割り当てられる送信帯域は連続であるため、隣接する送信帯域間の周波数間隔は最小値０となる。一方、図１Ｂに示すように、端末２００の信号がDistributed送信される場合、自端末の送信信号が割り当てられる送信帯域のうち、隣接する送信帯域間の周波数間隔は３ＲＢとなる。すなわち、本実施の形態では、送信信号の周波数領域での連続度は、Localized送信時のように隣接する送信帯域間の周波数間隔が最小の場合に最大となる。また、送信信号の周波数領域での連続度は、隣接する送信帯域間の周波数間隔が大きくなるほど、より低くなる。
【０１０８】
そこで、本実施の形態における基地局１００の決定部１１７（図２）および端末２００
の決定部２０５（図３）は、端末２００の送信信号が割り当てられた送信帯域のうち、隣接する送信帯域間の周波数間隔に応じて、前回送信時に対する再送時の所定の周波数帯域の帯域幅を決定する。ここで、決定部１１７および決定部２０５は、前回送信した送信信号の隣接する送信帯域間の周波数間隔が大きいほど（つまり、連続度が低いほど）、前回送信時に対する再送時の所定の周波数帯域の帯域幅の減少量をより大きくする。
【０１０９】
以下、具体的に説明する。実施の形態１と同様、ここでは、端末２００が基地局１００が送信した再送用Ｇｒａｎｔを検出しなかった場合、および、端末２００の送信信号に対して第１ＨＡＲＱが適用された場合について説明する。
【０１１０】
例えば、図１５Ａに示すように、前回送信時（初回送信時）における隣接する送信帯域間の周波数間隔が４ＲＢの場合、決定部１１７および決定部２０５は、再送時（２回目送信時）における隣接する送信帯域の周波数間隔を２ＲＢに決定する。すなわち、決定部１１７および決定部２０５は、隣接する送信帯域間の周波数間隔の前回送信時に対する再送時の減少量を２ＲＢとする。
【０１１１】
また、例えば、図１５Ｂに示すように、前回送信時（初回送信時）における隣接する送信帯域間の周波数間隔が２ＲＢの場合、決定部１１７および決定部２０５は、再送時（２回目送信時）における隣接する送信帯域の周波数間隔を１ＲＢに決定する。すなわち、決定部１１７および決定部２０５は、隣接する送信帯域間の周波数間隔の前回送信時に対する再送時の減少量を１ＲＢとする。
【０１１２】
このように、決定部１１７および決定部２０５は、前回送信時において、隣接する送信帯域間の周波数間隔が４ＲＢの場合（図１５Ａ）には、隣接する送信帯域間の周波数間隔が２ＲＢの場合（図１５Ｂ）よりも、隣接する送信帯域間の周波数間隔の前回送信時に対する再送時の減少量をより大きくする。これにより、送信信号の所定の周波数帯域全体では、図１５Ａおよび図１５Ｂに示すように、実施の形態１と同様、前回送信時の送信信号の隣接する送信帯域間の周波数間隔が大きいほど、前回送信時に対する再送時の所定の周波数帯域の帯域幅の減少量はより大きくなる。すなわち、図１５Ａ（前回送信時の周波数間隔４ＲＢ）における前回送信時に対する再送時の所定の周波数帯域の帯域幅の減少量の方が、図１５Ｂ（前回送信時の周波数間隔２ＲＢ）における前回送信時に対する再送時の所定の周波数帯域の帯域幅の減少量よりも大きくなる。
【０１１３】
前回送信時において、隣接する送信帯域間の周波数間隔が大きいほど（例えば、図１５Ａ）、再送時の所定の周波数帯域の帯域幅の減少量がより大きくなる。これにより、端末２００が再送Ｇｒａｎｔを検出できない場合でも、実施の形態１と同様、再送時に端末２００の送信信号が干渉を与える他の端末の数を低減することができる。また、前回送信時において、隣接する送信帯域間の周波数間隔が小さいほど（例えば、図１５Ｂ）、端末２００の再送信号が干渉を与える他の端末の数を低減するための、再送時の所定の周波数帯域の帯域幅の減少量はより小さくてよい。よって、前回送信時において、隣接する送信帯域間の周波数間隔が小さいほど、再送時の送信信号が干渉を与える他の端末の数を低減しつつ、端末２００の送信信号の周波数ダイバーシチ効果の劣化を抑えることができる。
【０１１４】
このようにして、本実施の形態では、周波数領域で隣接する送信帯域間の周波数間隔に応じて、再送時の所定の周波数帯域の帯域幅を決定する。これにより、実施の形態１と同様、端末が基地局からの再送用Ｇｒａｎｔの受信を誤ってしまう場合でも、端末が再送時に干渉を与える他の端末の数を低減することができる。
【０１１５】
（実施の形態３）
本実施の形態では、前回送信した送信信号の送信帯域の分割数（以下、分割帯域数とい
う）が多いほど、前回送信時に対する再送時の分割帯域数の減少数をより多くする場合について説明する。
【０１１６】
本実施の形態に係る基地局１００の決定部１１７（図２）は、ＨＡＲＱ選択情報に示されるＨＡＲＱが第１ＨＡＲＱであり、かつ、誤り検出部１１６から入力される応答信号がＮＡＣＫ信号の場合、端末２００から前回送信時の送信信号の分割帯域数に応じて、その送信信号の再送時の分割帯域数を決定する。ここで、決定部１１７は、前回送信時の分割帯域数が多いほど、再送時の分割帯域数の減少数をより多くする。
【０１１７】
一方、本実施の形態に係る端末２００の決定部２０５（図３）は、復号部２０４からの制御情報に再送用Ｇｒａｎｔが含まれない場合、決定部１１７と同様にして、前回送信時の分割帯域数に応じて、送信信号の再送時の分割帯域数を決定する。ここで、決定部２０５は、前回送信時の分割帯域数が多いほど、再送時の分割帯域数の減少数をより多くする。
【０１１８】
以下、具体的に説明する。実施の形態１と同様、ここでは、端末２００が基地局１００が送信した再送用Ｇｒａｎｔを検出しなかった場合、および、端末２００の送信信号に対して第１ＨＡＲＱが適用された場合について説明する。
【０１１９】
例えば、図１６Ａに示すように、前回送信時（初回送信時）における送信信号の分割帯域数が４の場合、決定部１１７および決定部２０５は、再送時（２回目送信時）の分割帯域数を２に決定する。すなわち、決定部１１７および決定部２０５は、前回送信時に対する再送時の分割帯域数の減少数を２とする。
【０１２０】
また、例えば、図１６Ｂに示すように、前回送信時（初回送信時）における送信信号の分割帯域数が３の場合、決定部１１７および決定部２０５は、再送時（２回目送信時）の分割帯域数を２に決定する。すなわち、決定部１１７および決定部２０５は、前回送信時に対する再送時の分割帯域数の減少量を１とする。
【０１２１】
このように、決定部１１７および決定部２０５は、前回送信時において、分割帯域数が４の場合（図１６Ａ）には、分割帯域数が３の場合（図１６Ｂ）よりも、前回送信時に対する再送時の分割帯域数の減少数をより多くする。
【０１２２】
図１６Ａおよび図１６Ｂに示すように、前回送信時では、送信信号は、所定の周波数帯域に分散した送信帯域に割り当てられている。また、図１６Ａに示すように、分割帯域数が多いほど、所定の周波数帯域に送信信号の送信帯域が細かく分散されている。換言すると、分割帯域数が多いほど、所定の周波数帯域において、端末２００の送信信号が割り当てられる送信帯域以外の送信帯域として、連続する送信帯域を確保することが困難となる。これに対し、図１６Ａおよび図１６Ｂに示すように、再送時では、送信信号は、送信信号の周波数帯域の両端にまとまって割り当てられる。これにより、端末２００の送信信号が割り当てられた送信帯域以外の送信帯域として、連続する送信帯域（図１６Ａおよび図１６Ｂでは所定の周波数帯域の中央付近）を確保することができる。
【０１２３】
これにより、基地局１００が再送用Ｇｒａｎｔを送信したにもかかわらず、端末２００が再送用Ｇｒａｎｔを検出できなかった場合でも、端末２００の再送信号の送信帯域以外の送信帯域として連続する送信帯域が確保されるため、実施の形態１と同様、端末２００の再送信号が干渉を与える他の端末の数を低減することができる。また、例えば、端末２００に対して第１ＨＡＲＱを適用する場合、基地局１００は、端末２００の送信信号が割り当てられた送信帯域以外の連続する送信帯域に、他の端末（例えば、Localized送信する端末）を割り当てることができる。
【０１２４】
このようにして、本実施の形態では、前回送信した送信信号の分割帯域数に応じて、再送時の分割帯域数を決定する。これにより、実施の形態１と同様、端末が基地局からの再送用Ｇｒａｎｔの受信を誤ってしまう場合でも、再送時に干渉を与える他の端末の数を低減することができる。
【０１２５】
（実施の形態４）
本実施の形態では、前回送信した送信信号の所定の周波数帯域の帯域幅が広いほど、前回送信時に対する再送時の所定の周波数帯域の帯域幅の減少率をより大きくする場合について説明する。
【０１２６】
本実施の形態に係る基地局１００の決定部１１７（図２）は、ＨＡＲＱ選択情報に示されるＨＡＲＱが第１ＨＡＲＱであり、かつ、誤り検出部１１６から入力される応答信号がＮＡＣＫ信号の場合、端末２００から前回送信された送信信号の所定の周波数帯域の帯域幅に応じて、再送時の送信信号の所定の周波数帯域の帯域幅を決定する。ただし、決定部１１７は、前回送信時の所定の周波数帯域の帯域幅が広いほど、再送時の所定の周波数帯域の帯域幅の減少率をより大きくする。
【０１２７】
一方、本実施の形態に係る端末２００の決定部２０５（図３）は、復号部２０４からの制御情報に再送用Ｇｒａｎｔが含まれない場合、決定部１１７と同様にして、前回送信した送信信号の所定の周波数帯域の帯域幅に応じて、再送時の送信信号の所定の周波数帯域の帯域幅を決定する。ただし、決定部２０５は、前回送信時の所定の周波数帯域の帯域幅が広いほど、再送時の所定の周波数帯域の帯域幅の減少率をより大きくする。
【０１２８】
以下、具体的に説明する。実施の形態１と同様、ここでは、端末２００が基地局１００からの再送用Ｇｒａｎｔを検出しなかった場合、および、端末２００の送信信号に対して第１ＨＡＲＱが適用された場合について説明する。また、図１７Ａおよび図１７Ｂにおいて、所定の周波数帯域の帯域幅Ｗは、所定の周波数帯域の帯域幅Ｗ’よりも広い（つまり、帯域幅Ｗ＞帯域幅Ｗ’）。
【０１２９】
例えば、図１７Ａに示すように、前回送信時（初回送信時）における送信信号の所定の周波数帯域の帯域幅がＷの場合、決定部１１７および決定部２０５は、再送時（２回目送信時）における所定の周波数帯域の帯域幅を、前回送信時の１／２の帯域幅（Ｗ／２）に決定する。すなわち、決定部１１７および決定部２０５は、前回送信時に対する再送時の所定の周波数帯域の帯域幅の減少率を１／２とする。
【０１３０】
一方、図１７Ｂに示すように、前回送信時（初回送信時）における送信信号の所定の周波数帯域の帯域幅がＷ’の場合、決定部１１７および決定部２０５は、再送時（２回目送信時）における所定の周波数帯域の帯域幅を、前回送信時の２／３の帯域幅（２Ｗ’／３）に決定する。すなわち、決定部１１７および決定部２０５は、前回送信時に対する再送時の所定の周波数帯域の帯域幅の減少率を２／３とする。
【０１３１】
このように、決定部１１７および決定部２０５は、前回送信時において、所定の周波数帯域の帯域幅がＷ（＞帯域幅Ｗ’）の場合には、所定の周波数帯域の帯域幅がＷ’の場合よりも、前回送信時に対する再送時の所定の周波数帯域の帯域幅の減少率をより大きくする。
【０１３２】
前回送信時において、所定の周波数帯域の帯域幅が広いほど（例えば、図１７Ａ）、再送時の所定の周波数帯域の帯域幅の減少率がより大きくなる。これにより、端末２００が再送Ｇｒａｎｔを検出できない場合でも、実施の形態１と同様、再送時に端末２００の送
信信号が干渉を与える他の端末の数を低減することができる。また、前回送信時において、所定の周波数帯域の帯域幅（Ｗ’）が狭いほど（例えば、図１７Ｂ）、端末２００の再送信号が干渉を与える他の端末の数を低減するための、再送時の所定の周波数帯域の帯域幅の減少率は小さくてよい。前回送信時において、所定の周波数帯域の帯域幅が狭いほど、再送時の送信信号が干渉を与える他の端末の数を低減しつつ、端末２００の送信信号の周波数ダイバーシチ効果の劣化を抑えることができる。
【０１３３】
このようにして、本実施の形態では、前回送信した送信信号の所定の周波数帯域の帯域幅に応じて、再送時の所定の周波数帯域の帯域幅を決定する。これにより、実施の形態１と同様、端末が基地局からの再送用Ｇｒａｎｔの受信を誤ってしまう場合でも、再送時に干渉を与える他の端末の数を低減することができる。
【０１３４】
以上、本発明の各実施の形態について説明した。
【０１３５】
なお、上記実施の形態では、本発明をLocalized送信およびDistributed送信に適用する場合を一例として説明した。しかし、本発明は、Localized送信およびDistributed送信に限らず、非離散的な送信帯域を用いる伝送方式および離散的な送信帯域を用いる伝送方式に適用してもよい。例えばLocalized送信の代わりにＳＣ−ＦＤＭＡ（Single Carrier-Frequency Division Multiplexing Access）伝送を適用し、Distributed送信の代わりにＯＦＤＭＡ（Orthogonal Frequency Division Multiplexing Access）を適用してもよい。
【０１３６】
また、本実施の形態では、複数の送信帯域すべてが周波数領域で連続になる場合の連続度を最大値１とし、複数の送信帯域のうち少なくとも１つが不連続になる場合の連続度を１未満とする場合について説明した。しかし、本発明では、例えば、送信帯域をサブキャリアに置き換え、複数のサブキャリアすべてが連続になる場合の連続度を最大値１とし、複数のサブキャリアのうち少なくとも１つが不連続になる場合の連続度を１未満としてもよい。また、本発明では、例えば、複数のサブキャリアすべてが一定間隔である場合の連続度を最大値１とし、複数のサブキャリアのうち少なくとも１つが一定間隔ではない場合の連続度を１未満としてもよい。
【０１３７】
また、上記実施の形態では、端末が再送用Ｇｒａｎｔを検出できなかった場合に再送信号を割り当てる送信帯域として、ロバストな他の端末（例えば、誤り訂正の性能が高い端末）が割り当てられた送信帯域を用いてもよい。これにより、再送信号が割り当てられた送信帯域以外の送信帯域では、他の端末は再送信号からの干渉を受けることなく通信することが可能となり、再送信号が割り当てられた送信帯域では、ロバストな他の端末は再送信号からの干渉を受けるものの、誤り訂正処理により正常に通信することができる可能性が高くなる。
【０１３８】
また、上記実施の形態では、端末から基地局への上り回線においてデータおよび参照信号を送信する例を挙げたが、基地局から端末への下り回線における送信の場合でも同様に適用できる。
【０１３９】
また、上記実施の形態では、ＨＡＲＱを用いる場合について説明したが、本発明ではＡＲＱを用いてもよい。
【０１４０】
また、上記各実施の形態では、本発明をハードウェアで構成する場合を例にとって説明したが、本発明はソフトウェアで実現することも可能である。
【０１４１】
また、上記各実施の形態の説明に用いた各機能ブロックは、典型的には集積回路であるＬＳＩとして実現される。これらは個別に１チップ化されてもよいし、一部または全てを
含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１４３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４４】
２００８年９月４日出願の特願２００８−２２７５０１の日本出願に含まれる明細書、図面および要約書の開示内容は、すべて本願に援用される。
【産業上の利用可能性】
【０１４５】
本発明は、移動体通信システム等に適用することができる。
【手続補正２】
【補正対象書類名】特許請求の範囲
【補正対象項目名】全文
【補正方法】変更
【補正の内容】
【特許請求の範囲】
【請求項１】
送信信号の再送時に前記送信信号に割り当てられる送信帯域の両端間の帯域幅を決定する決定手段と、
前記帯域幅に基づいて、前記送信信号を周波数リソースに割り当てる割当手段と、を具備し、
前記決定手段は、前回送信した前記送信信号の周波数領域での連続度が低いほど、前回送信時に対する前記再送時の前記帯域幅の減少量をより大きくする、
無線通信装置。
【請求項２】
前記決定手段は、
前記帯域幅を有する周波数帯域における前記送信帯域の割合を前記連続度として用い、
前記割合が小さいほど前記減少量をより大きくする、
請求項１記載の無線通信装置。
【請求項３】
前記決定手段は、
隣接する送信帯域間の周波数間隔を前記連続度として用い、
前記周波数間隔が大きいほど前記減少量をより大きくする、
請求項１記載の無線通信装置。
【請求項４】
前記決定手段は、前記連続度が低いほど前記減少量をより大きくすることにより、前記再送時の連続度が１となる前記帯域幅を決定する、
請求項１記載の無線通信装置。
【請求項５】
前記決定手段は、前記連続度が低いほど前記減少量をより大きくすることにより、前記再送時の前記送信信号がローカライズド送信されるように前記帯域幅を決定する、
請求項１記載の無線通信装置。
【請求項６】
前記決定手段は、前記連続度が所定の閾値未満の場合のみ、前記連続度が低いほど前記減少量をより大きくする、
請求項１記載の無線通信装置。
【請求項７】
送信信号の再送時に前記送信信号に割り当てられる送信帯域の両端間の帯域幅を決定する帯域幅決定方法において、
前回送信した前記送信信号の周波数領域での連続度が低いほど、前回送信時に対する前記再送時の前記帯域幅の減少量をより大きくする、
帯域幅決定方法。
【手続補正３】
【補正対象書類名】図面
【補正対象項目名】全図
【補正方法】変更
【補正の内容】
【図１Ａ】
2010026761.tif 000025
【図１Ｂ】
2010026761.tif 000026
【図２】
2010026761.tif 000027
【図３】
2010026761.tif 000028
【図４】
2010026761.tif 000029
【図５】
2010026761.tif 000030
【図６】
2010026761.tif 000031
【図７】
2010026761.tif 000032
【図８Ａ】
2010026761.tif 000033
【図８Ｂ】
2010026761.tif 000034
【図９】
2010026761.tif 000035
【図１０】
2010026761.tif 000036
【図１１】
2010026761.tif 000037
【図１２】
2010026761.tif 000038
【図１３】
2010026761.tif 000039
【図１４】
2010026761.tif 000040
【図１５Ａ】
2010026761.tif 000041
【図１５Ｂ】
2010026761.tif 000042
【図１６Ａ】
2010026761.tif 000043
【図１６Ｂ】
2010026761.tif 000044
【図１７Ａ】
2010026761.tif 000045
【図１７Ｂ】
2010026761.tif 000046
【国際調査報告】
2010026761.tif 000047
2010026761.tif 000048
2010026761.tif 000049